(57)【要約】【課題】制御器のプログラム更新時および制御不能が生じても、光ファイバ断の検出および復旧を、安全かつ簡易に行う。【解決手段】光ファイバ１０１上の主信号光を光増幅する光増幅器１１１，１２１と、光ファイバ１０１の障害発生の検出時に光増幅器１１１，１２１の出力と監視光の出力を停止させる制御器１３２と、制御器１３２と切り替え動作し、光ファイバ１０１の障害発生時に光増幅器１１１，１２１の出力と監視光の出力を停止させる第２の制御回路１３５とを有する。制御器１３２は他局との間で制御情報を含む監視光を送受する監視光送受信部１１２，１２２と、監視信号の送受の状態に基づいて、障害発生を検出し、光増幅器１１１，１２１の出力光と監視光の出力を停止させる第１の制御回路１５２と、第１の制御回路１５２による制御不能の情報に基づき、第１の制御回路１５２から第２の制御回路１３５に制御を切り替える切替回路１５５と、を有する。【選択図】図１
2014093746.tif 000002
【特許請求の範囲】
【請求項１】
光伝送路上の主信号光を光増幅する光増幅部と、
前記光伝送路の障害発生の検出時に前記光増幅部の出力と監視光の出力を停止させる第１の制御部と、
前記第１の制御部と切り替え動作し、前記光伝送路の障害発生の検出時に前記光増幅部の出力と監視光の出力を停止させる第２の制御部とを有し、
前記第１の制御部は、
前記光伝送路上の隣接する他の伝送装置との間において、制御情報を含む監視光を送受する監視光送受信部と、
前記監視光の送受の状態に基づいて、前記光伝送路の障害発生を検出し、前記光増幅部の出力光と前記監視光の出力を停止させる制御回路と、
前記制御回路による制御不能の情報に基づき、前記第１の制御部から前記第２の制御部に制御を切り替える切替回路と、
を有することを特徴とする伝送装置。
【請求項２】
前記第１の制御部は、前記光伝送路の障害発生時に前記制御情報により、前記他の伝送装置に対し、当該他の伝送装置からの前記主信号光の出力停止を要求することを特徴とする請求項１に記載の伝送装置。
【請求項３】
前記第１の制御部および前記第２の制御部は、前記主信号光が定められた光パワーより小さく、かつ、前記監視光に含まれる前記制御情報のデータフォーマットが異常である場合に、前記光伝送路の障害発生と判断することを特徴とする請求項１または２に記載の伝送装置。
【請求項４】
前記第１の制御部の制御プログラムを格納するメモリと、
前記第１の制御部の制御プログラムを更新するプロセッサとを備え、
前記切替回路は、前記制御プログラムの更新開始時に前記第１の制御部から前記第２の制御部に動作を切り替え、
前記他の伝送装置に自局の制御プログラムの更新開始を前記制御情報に含ませ送信することを特徴とする請求項１〜３のいずれか一つに記載の伝送装置。
【請求項５】
前記切替回路は、
自局の制御プログラムの更新完了時に前記第２の制御部から前記第１の制御部に動作を切り替え、
前記他の伝送装置に自局の制御プログラムの更新完了を前記制御情報に含ませ送信することを特徴とする請求項４に記載の伝送装置。
【請求項６】
前記切替回路は、
前記他の伝送装置から受信する前記制御情報に含まれる、前記他の伝送装置における制御プログラムの更新開始に基づき、前記第１の制御部から前記第２の制御部に動作を切り替えることを特徴とする請求項４に記載の伝送装置。
【請求項７】
前記切替回路は、
前記第１の制御部の動作状態を検出し、
前記第１の制御部の異常時には、前記第１の制御部から前記第２の制御部に動作を切り替え、前記他の伝送装置に自局の動作異常を前記制御情報に含ませて送信することを特徴とする請求項１〜６のいずれか一つに記載の伝送装置。
【請求項８】
前記切替回路は、正常動作時に周期的なパルスを出力し、
前記パルスの出力状態が正常であるか否かに基づいて、前記第１の制御部と前記第２の制御部とを切り替えることを特徴とする請求項７に記載の伝送装置。
【請求項９】
前記光増幅部は、ＥＤＦＡ（Ｅｒｂｉｕｍ  Ｄｏｐｅｄ  Ｆｉｂｅｒ  Ａｍｐｌｉｆｉｅｒ）であることを特徴とする請求項１〜８のいずれか一つに記載の伝送装置。
【請求項１０】
光伝送路上に隣接して自局と他局の伝送装置を配置した伝送システムにおいて、
前記自局および他局の伝送装置はそれぞれ、
前記光伝送路上の主信号光を光増幅する光増幅部と、
前記光伝送路の障害発生の検出時に前記光増幅部の出力と監視光の出力を停止させる第１の制御部と、
前記第１の制御部と切り替え動作し、前記光伝送路の障害発生の検出時に前記光増幅部の出力と監視光の出力を停止させる第２の制御部とを有し、
前記第１の制御部は、
前記光伝送路上の隣接する他局の伝送装置との間において、制御情報を含む監視光を送受する監視光送受信部と、
前記監視光の送受の状態に基づいて、前記光伝送路の障害発生を検出し、前記光増幅部の出力光と前記監視光の出力を停止させる制御回路と、
前記制御回路による制御不能の情報に基づき、前記第１の制御部から前記第２の制御部に制御を切り替える切替回路と、
を有することを特徴とする伝送システム。
【発明の詳細な説明】
【技術分野】
【０００１】
本発明は、伝送装置の制御プログラム更新や制御不能時における伝送路の障害に対応できる伝送装置および伝送システムに関する。
【背景技術】
【０００２】
伝送信号の伝送システムとして、たとえば、光伝送システムがある。この光伝送システムでは、複数の波長の信号光を用いて伝送信号を伝送する波長多重（ＷＤＭ：Ｗａｖｅｌｅｎｇｔｈ  Ｄｉｖｉｓｉｏｎ  Ｍｕｌｔｉｐｌｅｘｉｎｇ）させるＷＤＭ光伝送システムがある。このＷＤＭ等の光伝送システムでは、伝送路として光ファイバが用いられ、この光ファイバを介して伝送された信号光の光パワーを増幅する伝送装置（中継装置）を伝送路の途中に複数設けて多段中継することにより、低コストでの長距離伝送を可能としている。
【０００３】
伝送装置は、エルビウム添加光ファイバ（ＥＤＦ：Ｅｒｂｉｕｍ−Ｄｏｐｅｄ  Ｆｉｂｅｒ）に励起光を供給する光増幅器や、敷設された光ファイバを増幅媒体とし、ラマン増幅用のレーザ光を光ファイバに供給することにより信号光のパワーを増幅するラマン増幅を行う光増幅器を含む。
【０００４】
このような光伝送システムでは、伝送装置近くの光ファイバコネクタの抜けや、敷設された光ファイバの断線による障害が発生した場合には、障害箇所から信号光が漏出される場合がある。このような、光ファイバの障害箇所からの光パワーの漏出による保守者への影響を最小限にするために、障害発生後に光増幅器から出力される光パワーを停止する自動光パワーシャットダウン（ＡＰＳＤ：Ａｕｔｏｍａｔｉｃ  Ｐｏｗｅｒ  Ｓｈｕｔｄｏｗｎ）制御機能を備えた光伝送システムが提案されている（たとえば、下記特許文献１参照。）。
【０００５】
また、光増幅装置の制御プログラム更新中の制御技術が提案されている（たとえば、下記特許文献２参照。）。この技術では、プログラムの通常動作中は、増幅制御器からＬＤ駆動電流を制御して信号光（主信号光）の光パワーを増幅制御する。そして、プログラムの更新中は、更新前に定めたＬＤ駆動電流を出力するよう、Ｄ／Ａ変換器のデータ信号をラッチＩＣより出力し、ＬＤ駆動電流を一定に保持することにより光増幅を行う。また、入力光パワーを検出する機能を制御器に備え、増幅制御器のプログラム更新中に入力光パワーの検出信号がゼロとなった場合に、制御器が光増幅を停止させる。
【０００６】
上記構成により、増幅制御器のプログラム更新中も一定に保持されたＬＤ駆動電流で光増幅を継続するとともに、光ファイバ障害発生時に光増幅を停止することが可能である。
【先行技術文献】
【特許文献】
【０００７】
【特許文献１】特開２００２−７７０５６号公報
【特許文献２】特開２００７−２２０９７７号公報
【発明の概要】
【発明が解決しようとする課題】
【０００８】
しかしながら、特許文献１の技術では、自局の制御プログラムの更新時には、光伝送路の他局との制御情報の送受ができなくなる。また、制御器に含まれるＡＰＳＤ制御回路も動作しなくなる。制御器のプログラムの更新には数秒から数十秒の時間がかかるため、安全規格で定められた時間内に光ファイバの障害箇所からの光パワーの漏出を停止することができず、保守者に危険を生じる課題がある。
【０００９】
具体的には、自局においてプログラム更新を行う場合、自局の更新処理の間、光ファイバの断状態が発生しても、この断状態を検出することができない。したがって、光ファイバ断の情報を光伝送路の上流の他局へ通知することができない。これにより、上流側の他局は、伝送装置間で光ファイバ断が発生していると判断することができない。
【００１０】
また、他局が光増幅装置の制御器のプログラム更新を実施しているときに、下り方向の光ファイバに障害が発生した場合を想定する。この場合、光伝送路の下流に位置する自局の光増幅装置の制御器のＡＰＳＤ制御回路が光ファイバ障害発生を検出して、光増幅器の出力光パワーを停止させるとともに、他局にＡＰＳＤ要求信号を出力する。このとき、他局は、制御器のプログラムが動作不能であるため、ＡＰＳＤ要求信号を受け取ることができず、他局では光増幅器の出力光パワーを停止できない。
【００１１】
ところで、特許文献１，２の技術を組み合わせ、入力光パワーの低下を検出して光増幅を停止する構成を考えてみる。この場合、下り方向の光ファイバ障害を検出して光増幅を停止する場合、自局の上り方向の光増幅器の出力光パワーが停止されて他局の主信号光の入力光パワーがゼロとなるので、他局の下り方向の光増幅器の出力光パワーを停止することができる。
【００１２】
しかし、この後、光ファイバ障害から復旧しても、他局と自局の光増幅器は、出力光パワーが停止されており、互いの入力光パワーがゼロであるため、光ファイバ障害と判定されたままである。主信号光の疎通の復旧には、光ファイバの接続を作業者が確認し、光増幅制御の開始を実施する手順が必要となるため、作業者の手を煩わせることになる。また、光ファイバが断線したまま作業を誤って光増幅制御を開始してしまうと、障害箇所から漏出した光パワーが復旧作業中の保守者に照射される恐れがある。
【００１３】
また、同じ制御プログラムが搭載された制御器を複数設けて、一方の制御器のプログラム更新中に他方の制御器を動作させる冗長構成が考えられるが、複数の制御器を使用するため、複数の制御器に対する制御プログラムの更新が必要となったり、実装面積が増大し装置が大型化し、高価となる。
【００１４】
上述した自局と他局間は、制御情報のやりとりを光伝送路上の主信号光とは異なる監視光を用いて行う。そして、自局のプログラム更新中には、監視光を他局に出力しないことが考えられる。しかし、プログラム更新中に監視光を出力しない構成とすると、ファイバ断の発生の有無にかかわらず、監視光の出力が停止され、プログラム更新毎に主信号光が遮断することになるため、このような制御は採用できない。
【００１５】
一つの側面では、制御器のプログラム更新時および制御不能が生じても、光ファイバ断の検出および復旧を、安全かつ簡易に行うことができることを目的とする。
【課題を解決するための手段】
【００１６】
一つの案では、光伝送路上の主信号光を光増幅する光増幅部と、前記光伝送路の障害発生の検出時に前記光増幅部の出力と監視光の出力を停止させる第１の制御部と、前記第１の制御部と切り替え動作し、前記光伝送路の障害発生の検出時に前記光増幅部の出力と監視光の出力を停止させる第２の制御部とを有し、前記第１の制御部は、前記光伝送路上の隣接する他の伝送装置との間において、制御情報を含む監視光を送受する監視光送受信部と、前記監視光の送受の状態に基づいて、前記光伝送路の障害発生を検出し、前記光増幅部の出力光と前記監視光の出力を停止させる制御回路と、前記制御回路による制御不能の情報に基づき、前記第１の制御部から前記第２の制御部に制御を切り替える切替回路と、を有する伝送装置を用いる。
【発明の効果】
【００１７】
一つの実施形態によれば、制御器のプログラム更新時および制御不能が生じても、光ファイバ断の検出および復旧を、安全かつ簡易に行うことができる。
【図面の簡単な説明】
【００１８】
【図１】図１は、実施の形態１にかかる伝送装置を示すブロック図である。
【図２】図２は、ＡＰＳＤ制御回路（１）の内部構成例を示す図である。
【図３】図３は、ＡＰＳＤ切替回路の内部構成例を示す図である。
【図４】図４は、ＡＰＳＤ制御回路（２）の内部構成例を示す図である。
【図５】図５は、伝送装置の制御器の通常動作中に、下り方向の光ファイバ障害が発生した状態を示す図である。
【図６】図６は、図５に示す障害発生時における自局および他局の動作を示すシーケンス図である。
【図７】図７は、自局における通常動作時の障害発生前後の処理内容を示すフローチャートである。
【図８】図８は、自局の制御器のプログラム更新中の状態を示す図である。
【図９】図９は、図８に示す自局のプログラム更新時における自局および他局の制御器の動作を示すシーケンス図である。
【図１０】図１０は、自局の伝送装置の制御器がプログラム更新を実施しているときに、下り方向の光ファイバ障害が発生した状態を示す図である。
【図１１】図１１は、図９に示すプログラム更新中の障害発生時における自局および他局の動作例を示すシーケンス図である（その１）。
【図１２】図１２は、図９に示すプログラム更新中の障害発生時における自局および他局の動作例を示すシーケンス図である（その２）。
【図１３】図１３は、他局の伝送装置の制御器がプログラム更新を実施しているときに、下り方向の光ファイバ障害が発生した状態を示す図である。
【図１４】図１４は、図１３の状態において、下り方向の光ファイバの障害を検出して信号疎通が復旧する処理を説明するシーケンス図である。
【図１５】図１５は、実施の形態１における制御プログラムの更新中の障害発生時の処理内容を示すフローチャートである。
【図１６】図１６は、実施の形態１における障害復旧後の処理内容を示すフローチャートである。
【図１７】図１７は、実施の形態２にかかる伝送装置を示すブロック図である。
【図１８】図１８は、ＡＰＳＤ制御回路（１）の内部構成例を示す図である。
【図１９】図１９は、ＡＰＳＤ制御回路（２）の内部構成例を示す図である。
【図２０】図２０は、自局の制御不能中の障害発生時における自局および他局の動作例を示すシーケンス図である。
【図２１】図２１は、他局の制御不能中の障害発生時における自局および他局の動作例を示すシーケンス図である。
【図２２】図２２は、実施の形態２における制御不能中の障害発生時の処理内容を示すフローチャートである。
【図２３】図２３は、実施の形態２における障害復旧後の処理内容を示すフローチャートである。
【図２４】図２４は、実施の形態３にかかる伝送装置を示すブロック図である。
【図２５】図２５は、実施の形態４にかかる伝送装置を示すブロック図である。
【発明を実施するための形態】
【００１９】
（実施の形態）
以下に添付図面を参照して、開示技術の好適な実施の形態を詳細に説明する。この実施形態では、下記Ａ〜Ｃの事象にいずれも対応した制御を行う。
Ａ：制御器のプログラム更新中（および制御器の制御不能時）
Ａ−１：ファイバ断等の障害が発生していないときには、光伝送路上の主信号光の伝送を確保して通常の伝送を確保する。
Ａ−２：ファイバ断等の障害が発生したときには、即座に光増幅（励起光）をオフさせる。
Ｂ：プログラム更新中以外
Ｂ−１：ファイバ断等の障害が発生していないときには、主信号光の伝送を確保して通常の伝送を確保する。
Ｂ−２：ファイバ断等の障害が発生したときには、即座に光増幅（励起光）をオフさせる。
Ｃ：ファイバ断等の障害の復旧後
Ｃ−１：プログラム更新中は、更新処理を完了した後、監視光（監視信号光）により接続を確認し、その後、光増幅をオンさせる。
Ｃ−２：プログラム更新中以外は、即座に、監視光により接続を確認し、その後、光増幅をオンさせる。
【００２０】
実施の形態は、上記の制御により、伝送装置が有する制御器等のプログラム更新等により、制御器が動作不能な状態にあるときに光ファイバの断線が発生した場合でも、安価かつ簡易な構成により光ファイバの障害発生を検出する。そして、速やかに光パワーの送出を停止することにより、光ファイバの障害箇所からの光パワーの漏出による保守者への影響を最小限にとどめる。また、光ファイバが障害修復し、制御器が正常動作に戻った後、監視光と主信号光の疎通を自動的に復旧させることにより、障害の復旧作業を容易にするとともに、障害の復旧を実施する作業者に対し光パワーの漏出を防ぐ。
【００２１】
（実施の形態１）
図１は、実施の形態１にかかる伝送装置を示すブロック図である。この図１に示す伝送装置１００は、光増幅器がＥＤＦを用いたＥＤＦＡ（Ｅｒｂｉｕｍ  Ｄｏｐｅｄ  Ｆｉｂｅｒ  Ａｍｐｌｉｆｉｅｒ）である。
【００２２】
この伝送装置１００は、光伝送路（光ファイバ）１０１上に複数配置され、光ファイバ１０１上の伝送信号（主信号光）を光増幅する中継器の機能を有する。伝送装置１００は、受信部１０２と、送信部１０３と、装置制御部１０４とを含む。
【００２３】
受信部１０２は、光ファイバ１０１により伝送される下りの主信号光を光増幅する光増幅器１１１と、光ファイバ１０１を伝送する監視光（監視信号光）から監視信号を抽出し、受信する監視光受信器１１２と、監視光を光ファイバ１０１から監視光受信器１１２に分波する監視光分波器１１３とを含む。
【００２４】
送信部１０３は、上りの主信号光を光増幅して光ファイバに送出する光増幅器１２１と、監視光を介して監視信号を送信する監視光送信器１２２と、監視光を監視光送信器１２２から光ファイバに分波する監視光合波器１２３とを含む。
【００２５】
装置制御部１０４は、フレーマ１３１と、制御器１３２と、プロセッサ（ＭＣＵ）１３３と、メモリ１３４と、制御器１３２の外部に設けられる第２の制御回路（ＡＰＳＤ制御回路（２）１３５）とを含む。
【００２６】
フレーマ１３１は、監視光受信器１１２にて受信された監視光を受信データに変換する受信回路１４１と、監視信号として送信する送信データを監視信号に変換して監視光送信器１２２に出力する送信回路１４２とを含む。監視光受信器１１２が受信する監視光、および監視光送信器１２２が送信する監視光は、下りの光伝送路１０１の上流に位置する他局（他の伝送装置１００）とやりとりされる。
【００２７】
以下の説明において、他局（対向の局）とは、下りの光伝送路１０１の上流に隣接して位置する他の伝送装置１００を示す。
【００２８】
このフレーマ１３１は、たとえば送受信データを所定のフレーム、たとえば、ＳＯＮＥＴフレームに格納するＰａｃｋｅｔ  ｏｖｅｒ  ＳＯＮＥＴフレーマを用い、伝送する監視信号用の送受信信号を生成する。また、受信回路１４１は、監視光受信器１１２からの受信信号にフレームが付与されていない等、信号フォーマットが異常な場合に、受信信号のフォーマット異常信号（Ｒｘ＿Ｅｒｒ）を出力する。
【００２９】
制御器１３２は、制御情報送受部１５１と、第１の制御回路（ＡＰＳＤ制御回路（１））１５２と、増幅制御インタフェース（Ｉ／Ｆ）１５３と、装置監視インタフェース（Ｉ／Ｆ）１５４と、ＡＰＳＤ切替回路１５５とを含む。
【００３０】
制御情報送受部１５１は、監視信号を介して他局との間で制御情報（監視信号）を送受信するフレーマ１３１とのインタフェースとして機能する。この制御情報送受部１５１は、監視信号を受信する受信部１６１と、送信データを送信する送信部１６２とを含む。監視信号には、運用波長数等の光増幅器１１１（１２１）の目標出力光パワーの算出に使用される情報を含む。また、光ファイバ１０１の障害発生時に、速やかにこの光ファイバ１０１上に設けられた光増幅器１１１（１２１）の出力光パワーを停止するＡＰＳＤ要求情報を含む。このように、監視信号は、光増幅器１１１（１２１）の制御に使用される。
【００３１】
増幅制御Ｉ／Ｆ１５３は、光増幅器１１１とのインタフェースとして機能する。この増幅制御Ｉ／Ｆ１５３は、制御情報を基に光増幅器１１１に目標出力光パワーを設定する。装置監視Ｉ／Ｆ１５４は、伝送装置監視制御を行うＭＣＵ１３３とのインタフェースとして機能する。この装置監視Ｉ／Ｆ１５４は、伝送装置監視制御を行うＭＣＵ１３３との間のインタフェースであり、伝送装置１００の制御状態をＭＣＵ１３３に通知することができる。
【００３２】
ＡＰＳＤ制御回路（１）１５２は、監視信号によって受け取ったＡＰＳＤ要求信号（ＡＰＳＤ＿Ｒｘ）と、光ファイバ障害等により生じた主信号と監視信号の異常を検出したときに、光増幅器１１１（１２１）の出力光パワーの停止要求を行う。この際、伝送装置監視制御を行うＭＣＵ１３３に伝送装置１００の制御状態を通知する。
【００３３】
ＭＣＵ１３３は、伝送装置１００の伝送装置制御を司る。メモリ１３４は、制御器１３２の制御プログラムを記憶する。また、ＭＣＵ１３３は、制御器１３２の制御プログラム更新時にメモリ１３４から更新用の制御プログラムを読み出し、制御器１３２（ＡＰＳＤ制御回路（１）１５２）の制御プログラムを更新処理する。
【００３４】
メモリ１３４は、伝送装置１００の機能向上または機能改善を目的として、伝送装置１００の制御器１３２に搭載される制御プログラムを更新する場合、伝送装置制御を司るＭＣＵ１３３から制御プログラムを受け取って記憶する。その後、ＭＣＵ１３３からの要求を受けて制御器１３２に搭載される制御プログラムを書き換える。
【００３５】
光増幅器１１１は、入力光モニタ回路１７１と、出力光モニタ回路１７２と、ＥＤＦ１７３と、励起ＬＤモジュール１７４と、ＥＤＦ励起ＬＤドライバ１７５と、増幅制御器１７６と、ＰＤ１７１ａ，１７２ａと、カプラ１７７ａ〜１７７ｃを含む。
【００３６】
光増幅器１１１に対する入力光の一部は、カプラ１７７ａにより分岐され、ＰＤ１７１ａにより検出される。検出した光パワーは、入力光モニタ回路１７１によりモニタ（監視）される。光増幅器１１１の出力光の一部は、カプラ１７７ｃにより分岐され、ＰＤ１７２ａにより検出される。検出した光パワーは、出力光モニタ回路１７２によりモニタ（監視）される。
【００３７】
ＥＤＦ１７３は、光ファイバ１０１上の主信号光を光増幅する。励起ＬＤモジュール１７４は、カプラ１７７ｂを介してＥＤＦ１７３に励起光を供給する。ＥＤＦ励起ＬＤドライバ１７５は、励起ＬＤモジュール１７４を駆動し、励起光パワーを制御する。増幅制御器１７６は、入力光モニタ回路１７１、および出力光モニタ回路１７２よってモニタした光パワーに基づいて制御器１３２から受け取った目標出力光パワーとなるよう、励起光パワーを制御する。また、この増幅制御器１７６は、ファイバ断検出パワー等の定められた光パワーより主信号の入力光パワーが低下すると、光ファイバ１０１のロス増加を判定して主信号の入力光パワーの低下信号（ＬＯＳ）を出力する。
【００３８】
上記の説明では、下りの光伝送路（光ファイバ）１０１に設けられた光増幅器１１１について説明したが、上りの光伝送路（光ファイバ）１０１の光増幅器１２１も光増幅器１１１と同様の構成である。
【００３９】
ＡＰＳＤ制御回路（２）１３５は、制御器１３２の外部に設けられ、制御器１３２内のＡＰＳＤ制御回路（１）１５２の代替えとして動作する。このＡＰＳＤ制御回路（２）１３５は、伝送装置１００の制御器１３２が動作できなくなる場合に動作する。ＡＰＳＤ切替回路１５５は、監視信号に含むＡＰＳＤ要求信号（ＡＰＳＤ＿Ｔｘ，ＡＰＳＤ＿Ｒｘ）の送受ができなくなる場合に、ＡＰＳＤ制御回路（２）１３５に切替信号（ＡＰＳＤ＿ＡＣＴ＝１）を出力する。これにより、ＡＰＳＤ制御回路（２）１３５は、制御器１３２内のＡＰＳＤ制御回路（１）１５２の代替えとして動作する。
【００４０】
ここで、制御器１３２が動作できない状態とは、たとえば制御器１３２の制御プログラムが更新を開始し、更新後に制御器１３２が動作を再開するまでの状態を意味する。制御器１３２の制御プログラムは、ＭＣＵ１３３からの更新開始信号（ＵＰＧＲＤ＿ＡＣＴ）を受けて制御器１３２に搭載される制御プログラムを更新する。
【００４１】
図２は、ＡＰＳＤ制御回路（１）の内部構成例を示す図である。ＡＰＳＤ制御回路（１）１５２は、論理積（ＡＮＤ）回路２０１と、論理和（ＯＲ）回路２０２とを含む。ＡＮＤ回路２０１には、光増幅器１１１から入力光パワーの低下信号（ＬＯＳ）と、フレーマ１３１から受信フォーマット異常信号（Ｒｘ＿Ｅｒｒ）とが入力される。ＡＮＤ回路２０１は、これらの論理積をＯＲ回路２０２に出力するとともに、制御情報送受部１５１にＡＰＳＤ要求信号（ＡＰＳＤ＿Ｔｘ）を出力する。ＯＲ回路２０２には、ＡＮＤ回路の論理積と、制御情報送受部１５１からＡＰＳＤ要求信号（ＡＰＳＤ＿Ｒｘ）とが入力され、これらの論理和として、出力光パワーを停止するＳＨＵＴ信号を光増幅器１１１，１２１に出力する。
【００４２】
このＡＰＳＤ制御回路（１）１５２は、ＡＰＳＤ切替回路１５５が出力する切替信号（ＡＰＳＤ＿ＡＣＴ）に基づき動作する。ＡＰＳＤ制御回路（１）１５２の動作が有効（ＥＮ／ＸＤＩＳ＝１）の場合、主信号の入力光パワーの低下信号（ＬＯＳ）と、フレーマ１３１で検出した受信信号の受信フォーマット異常信号（Ｒｘ＿Ｅｒｒ）に基づいて、光ファイバ１０１の障害発生を検出する。光ファイバ１０１の障害発生を検出するか、監視信号によりＡＰＳＤ要求信号（ＡＰＳＤ＿Ｒｘ）を受け取ったときには、光増幅器１１１，１２１の出力光パワーを停止するＳＨＵＴ信号を出力する。また、対向する局（他局）の伝送装置１００からの出力光パワーの漏出を防ぐため、光ファイバの障害発生を検出すると、他局にＡＰＳＤ要求信号（ＡＰＳＤ＿Ｔｘ）を送信する。一方、ＡＰＳＤ制御回路（１）１５２の動作が無効（ＥＮ／ＸＤＩＳ＝０）の場合には、動作せず、ＡＰＳＤ要求信号（ＡＰＳＤ＿Ｔｘ）、およびＳＨＵＴ信号を出力しない。
【００４３】
図３は、ＡＰＳＤ切替回路の内部構成例を示す図である。ＡＰＳＤ切替回路１５５は、論理和（ＯＲ）回路３０１を含む。ＯＲ回路３０１には、装置監視インタフェース１５４から更新開始信号（ＵＰＧＲＤ＿ＡＣＴ）と、更新開始を伝える信号（ＵＰＧＲＤ＿ＡＣＴ）と、制御情報送受部１５１から更新開始を伝える信号（ＵＰＧＲＤ＿ＡＣＴ＿Ｒｘ）とが入力される。ＯＲ回路３０１は、これらの論理和をＡＰＳＤ制御回路（１）１５２、およびＡＰＳＤ制御回路（２）１３５に出力する。また、更新開始信号（ＵＰＧＲＤ＿ＡＣＴ）を制御情報送受部１５１に更新開始を伝える信号（ＵＰＧＲＤ＿ＡＣＴ＿Ｔｘ）として出力する。
【００４４】
このＡＰＳＤ切替回路１５５は、更新開始信号（ＵＰＧＲＤ＿ＡＣＴ＝１）を受け取った後、監視信号により他局の伝送装置１００に更新開始を伝える信号（ＵＰＧＲＤ＿ＡＣＴ＿Ｔｘ＝１）を出力する。また、ＡＰＳＤ制御回路（１）１５２の動作を無効にして、ＡＰＳＤ制御回路（２）１３５に切り替える切替信号（ＡＰＳＤ＿ＡＣＴ＝１）を出力する。
【００４５】
また、他局の伝送装置１００が制御プログラム更新を行い、監視信号により更新開始の信号（ＵＰＧＲＤ＿ＡＣＴ＿Ｒｘ＝１）を自局で受け取った場合にも、ＡＰＳＤ制御回路（１）１５２の動作を無効にして、ＡＰＳＤ制御回路（２）１３５に切り替える切替信号（ＡＰＳＤ＿ＡＣＴ＝１）を出力する。
【００４６】
制御器１３２のプログラム更新が完了し、プログラムが起動すると、更新開始の信号（ＵＰＧＲＤ＿ＡＣＴ）は、フラグの値が０となる。これにより、ＡＰＳＤ切替回路１５５は、監視信号により他局の伝送装置１００に更新完了を伝える信号（ＵＰＧＲＤ＿ＡＣＴ＿Ｔｘ＝０）を出力する。また、ＡＰＳＤ制御回路（２）１３５の動作を無効にして、ＡＰＳＤ制御回路（１）１５２を有効にする信号（ＡＰＳＤ＿ＡＣＴ＝０）を出力する。
【００４７】
また、他局にある伝送装置１００の制御プログラム更新が完了すると、ＡＰＳＤ切替回路１５５は、監視信号により更新完了の信号（ＵＰＧＲＤ＿ＡＣＴ＿Ｒｘ＝０）を受け取る。これにより、ＡＰＳＤ切替回路１５５は、ＡＰＳＤ制御回路（２）１３５の動作を無効にして、ＡＰＳＤ制御回路（１）を有効にする信号（ＡＰＳＤ＿ＡＣＴ＝０）を出力する。
【００４８】
図４は、ＡＰＳＤ制御回路（２）１３５の内部構成例を示す図である。ＡＰＳＤ制御回路（２）１３５は、論理積（ＡＮＤ）回路４０１，４０２を含む。ＡＮＤ回路４０１には、光増幅器１１１から入力光パワーの低下信号（ＬＯＳ）と、フレーマ１３１から受信フォーマット異常信号（Ｒｘ＿Ｅｒｒ）とが入力される。ＡＮＤ回路４０１は、これらの論理積をＡＮＤ回路４０２に出力するとともに、光増幅器１１１，１２１に出力光パワーを停止するＳＨＵＴ信号を出力する。ＡＮＤ回路４０２には、ＡＮＤ回路４０１の論理積と、ＡＰＳＤ切替回路１５５から切替信号（ＡＰＳＤ＿ＡＣＴ）とが入力され、これらの論理積として、他局の伝送装置１００に対する監視光の出力を停止するＯＳＣ＿ＳＨＵＴ信号を監視光送信器１２２に出力する。
【００４９】
ＡＰＳＤ制御回路（２）１３５は、制御器１３２内のＡＰＳＤ切替回路１５５から切替信号（ＡＰＳＤ＿ＡＣＴ＝１）を受け取ったとする。このときに、主信号の入力光パワーの低下信号（ＬＯＳ）と、フレーマ１３１で検出した受信信号のフォーマット異常（Ｒｘ＿Ｅｒｒ）を検出したとする。この場合、ＡＰＳＤ制御回路（２）１３５は、光増幅器１１１，１２１の出力光パワーを停止するＳＨＵＴ信号とともに、監視光の出力を停止するＯＳＣ＿ＳＨＵＴ信号を出力する。
【００５０】
光ファイバ１０１に障害が発生すると、ＡＰＳＤ制御回路（２）１３５が主信号の入力光パワーの低下信号と、監視信号の受信フォーマット異常を検出して光増幅器１１１，１２１の出力光パワーと、他局に対する監視光の出力を停止する。
【００５１】
他局にある伝送装置１００は、監視信号により更新開始信号（ＵＰＧＲＤ＿ＡＣＴ＿Ｒｘ＝１）を受け取っており、ＡＰＳＤ制御回路（２）１３５が動作することにより、主信号の入力光パワーの低下信号と、監視信号の受信フォーマット異常を検出することになる。これにより、他局の伝送装置１００は、自局の伝送装置１００の制御プログラムの更新中であっても出力光パワーを停止することができる。
【００５２】
また、ＡＰＳＤ制御回路（２）１３５は、制御器１３２の制御プログラムの更新完了後に、ＡＰＳＤ切替回路１５５から切替信号（ＡＰＳＤ＿ＡＣＴ＝０）を受け取ると、動作をＡＰＳＤ制御回路（２）１３５からＡＰＳＤ制御回路（１）に戻す。ＡＰＳＤ制御回路（２）１３５は、ＡＰＳＤ＿ＡＣＴ＝０のため、監視光の出力停止解除信号（ＯＳＣ＿ＳＨＵＴ＝０）を出力し、他局に監視光を出力させる。このとき、光増幅器１１１，１２１の出力光パワーの停止制御は、ＡＰＳＤ制御回路（１）１５２に委譲される。ＡＰＳＤ制御回路（１）１５２では、主信号の入力光パワーの低下信号（ＬＯＳ）と、監視信号の受信フォーマット異常（Ｒｘ＿Ｅｒｒ）が継続している場合には、光増幅器１１１，１２１の出力光パワーの停止信号（ＳＨＵＴ＝１）を出力する。また、伝送が復旧している場合には、光増幅器１１１，１２１の出力光パワーの停止解除信号（ＳＨＵＴ＝０）を出力する。
【００５３】
図２に示したＡＰＳＤ制御回路（１）１５２は、光増幅器１１１，１２１からの主信号の入力光パワー低下信号（ＬＯＳ）や、フレーマ１３１からの監視信号の異常（Ｒｘ＿Ｅｒｒ）、光増幅器１１１，１２１の出力停止信号（ＳＨＵＴ）の論理信号を入出力する。この他に、ＡＰＳＤ制御回路（１）１５２は、監視信号と制御器１３２の間で制御情報を授受するＲＡＭ処理を行う制御情報送受部１５１との間でＡＰＳＤ要求信号（ＡＰＳＤ＿Ｒｘ，ＡＰＳＤ＿Ｔｘ）を入出力する。このため、ＡＰＳＤ制御回路（１）１５２の動作には高機能な制御器１３２を必要とする。
【００５４】
一方で、図４に示した制御器１３２の外部に設けるＡＰＳＤ制御回路（２）１３５は、ＬＯＳ信号やＲｘ＿Ｅｒｒ信号、光増幅器１１１，１２１のＳＨＵＴ信号、監視光送信器１２２の出力停止信号（ＯＳＣ＿ＳＨＵＴ）の論理信号のみ入出力する。このため、ＡＰＳＤ制御回路（２）１３５は、ＡＰＳＤ制御回路（１）１５２と比べて安価、かつ簡易な論理回路を用いて構成できる。
【００５５】
（通常動作中の光ファイバ障害発生時の動作）
図５は、伝送装置の制御器の通常動作中に、下り方向の光ファイバ障害が発生した状態を示す図である。局１（他局）および局２（自局）は、いずれも通常動作中であり、ＡＰＳＤ制御回路（１）１５２が動作している。通常動作のときに局１（他局）と局２（自局）との間の下りの光ファイバ１０１にファイバ断等の障害が発生（障害箇所５０１）した状態を示している。
【００５６】
図６は、図５に示す障害発生時における自局および他局の動作を示すシーケンス図である。以下の説明において、各信号の＿Ｔｘは送信側が送信する信号、＿Ｒｘは受信側が受信する信号を指しており、同一の信号である（たとえば、ＡＰＳＤ＿ＴｘとＡＰＳＤ＿Ｒｘは同一信号）。
【００５７】
光ファイバ１０１の障害箇所５０１で障害が発生すると、局２の制御器１３２のＡＰＳＤ制御回路（１）１５２は、主信号の入力光パワーの低下信号（ＬＯＳ）と、監視信号の受信フォーマット異常（Ｒｘ＿Ｅｒｒ）を検出する（ステップＳ６０１）。そして、局２のＡＰＳＤ制御回路（１）１５２は、光増幅器１１１，１２１の出力光パワーを停止し、局１にＡＰＳＤ要求信号（ＡＰＳＤ＿Ｔｘ）を送信する（ステップＳ６０２）。
【００５８】
局１のＡＰＳＤ制御回路（１）１５２は、局２から送信されたＡＰＳＤ要求信号（ＡＰＳＤ＿Ｒｘ）を受信し、光増幅器１１１，１２１の出力光パワーを停止する（ステップＳ６０３）。これにより、局１は、障害が発生した光ファイバ１０１への光出力を停止し、障害箇所５０１からの光パワーの漏洩を防ぐことができる。
【００５９】
この後、障害箇所５０１の光ファイバ１０１の障害が回復すると、局２は、監視光の受信フォーマット回復を受信する（ステップＳ６０４）。これにより、局２のＡＰＳＤ制御回路（１）１５２は、局１に対し、ＡＰＳＤ要求信号（ＡＰＳＤ＿Ｔｘ）を取り消し（送信停止）、局１への主信号出力を開始し（ステップＳ６０５）、通常動作に戻る。
【００６０】
局１のＡＰＳＤ制御回路（１）１５２は、局２から送信されていたＡＰＳＤ要求信号（ＡＰＳＤ＿Ｒｘ）の受信が取り消され、局２への主信号出力を開始し（ステップＳ６０６）、通常動作に戻る。
【００６１】
図７は、自局における通常動作時の障害発生前後の処理内容を示すフローチャートである。自局（図５の局２）の制御器１３２のＡＰＳＤ制御回路（１）１５２が行う処理内容を示している。
【００６２】
ＡＰＳＤ制御回路（１）１５２は、光ファイバ１０１の断線（障害発生）が自局に受ける（下りの）障害であるか判断する（ステップＳ７０１）。自局に受ける光ファイバ１０１の断線であれば（ステップＳ７０１：Ｙｅｓ）、ステップＳ７０２に移行し、自局に受ける光ファイバ１０１の断線でなければ（他局に送る光ファイバ１０１の断線に相当、ステップＳ７０１：Ｎｏ）、ステップＳ７０７に移行する。
【００６３】
ステップＳ７０２では、ＡＰＳＤ制御回路（１）１５２は、主信号の入力光パワーの低下信号（ＬＯＳ）と、監視信号の受信フォーマット異常（Ｒｘ＿Ｅｒｒ）を検出する（ステップＳ７０２）。これにより、ＡＰＳＤ制御回路（１）１５２は、光増幅器１１１，１２１の出力光パワーを停止し、他局（図５の局１）にＡＰＳＤ要求信号（ＡＰＳＤ＿Ｔｘ）を送信する（ステップＳ７０３）。
【００６４】
この後、光ファイバ１０１の障害が回復に対応して、ＡＰＳＤ制御回路（１）１５２は、自局に向かう（下りの）光ファイバ１０１が接続されたか判断する（ステップＳ７０４）。自局に向かう光ファイバ１０１が接続されるまでの間は（ステップＳ７０４：Ｎｏ）、ステップＳ７０３に戻る。自局に向かう光ファイバ１０１が接続されると（ステップＳ７０４：Ｙｅｓ）、ＡＰＳＤ制御回路（１）１５２は、自局での監視光の受信フォーマットが回復する（ステップＳ７０５）。そして、ＡＰＳＤ制御回路（１）１５２は、他局へのＡＰＳＤ要求信号（ＡＰＳＤ＿Ｔｘ）を取り消し、他局への主信号出力を開始し（ステップＳ７０６）、以上の障害時処理を終了する。
【００６５】
ステップＳ７０７では、他局に送る（上りの）光ファイバ１０１が断線（障害発生）であるか判断する（ステップＳ７０７）。他局に送る光ファイバ１０１の断線であれば（ステップＳ７０７：Ｙｅｓ）、ステップＳ７０８に移行し、他局に送る光ファイバ１０１の断線でなければ（ステップＳ７０７：Ｎｏ）、処理を終了する。
【００６６】
ステップＳ７０８では、ＡＰＳＤ制御回路（１）１５２は、他局からのＡＰＳＤ要求信号（ＡＰＳＤ＿Ｒｘ）を受信し、光増幅器１２１，１１１の出力光パワーを停止する（ステップＳ７０８）。
【００６７】
この後、光ファイバ１０１の障害の回復に対応して、ＡＰＳＤ制御回路（１）１５２は、他局に送る（上りの）光ファイバ１０１が接続されたか判断する（ステップＳ７０９）。他局に送る光ファイバ１０１が接続されるまでの間は（ステップＳ７０９：Ｎｏ）、ステップＳ７０８に戻る。他局に送る光ファイバ１０１が接続されると（ステップＳ７０９：Ｙｅｓ）、ＡＰＳＤ制御回路（１）１５２は、他局からのＡＰＳＤ要求信号（ＡＰＳＤ＿Ｒｘ）が消失されるため、他局への主信号出力を開始し（ステップＳ７１０）、以上の障害時処理を終了する。
【００６８】
上記のように、自局の制御器１３２は、ＡＰＳＤ制御回路（１）１５２の通常動作中に、信号光を受ける（下り）の光ファイバ１０１、および信号光を送る（上りの）光ファイバ１０１のいずれの障害発生時においても、信号光の漏洩を防ぐ。
【００６９】
（自局のプログラム更新）
図８は、自局の制御器のプログラム更新中の状態を示す図である。図８に示すように、自局（局２）のプログラム更新中は、ＡＰＳＤ制御回路（２）１３５が動作する。なお、自局（局２）と、他局（局１）との間の光ファイバ１０１の接続は正常であるため、ＡＰＳＤ制御は行わない。
【００７０】
図９は、図８に示す自局のプログラム更新時における自局および他局の制御器１３２の動作を示すシーケンス図である。自局（局２）の制御器１３２の制御プログラムの更新を開始してから通常状態になるまでの処理を説明する。
【００７１】
はじめに、局２の制御器１３２は、ＭＣＵ１３３から更新用の制御プログラムを受信する（ステップＳ９０１）。次に、局２の制御器１３２は、ＭＣＵ１３３から更新開始要求を受けると、局１のＡＰＳＤ切替回路１５５に更新開始信号（ＵＰＧＲＤ＿ＡＣＴ＝１）を出力する（ステップＳ９０２）。そして、局２の制御器１３２は、更新開始を知らせる信号（ＵＰＧＲＤ＿ＡＣＴ＿Ｔｘ＝１）を、局１に送信する（ステップＳ９０３）。そして、局１の制御器１３２は、局２からの更新開始信号（ＵＰＧＲＤ＿ＡＣＴ＿Ｒｘ＝１）を受信する（ステップＳ９０４）。
【００７２】
そして、局２および局１の制御器１３２は、いずれも更新開始信号を受け取ることにより、ＡＰＳＤ切替回路１５５が切替信号（ＡＰＳＤ＿ＡＣＴ＝１）を出力し、ＡＰＳＤ制御回路（１）１５２からＡＰＳＤ制御回路（２）１３５に動作を切り替える（ステップＳ９０５ａ，ステップＳ９０５ｂ）。
【００７３】
この後、局２は、ＭＣＵ１３３が制御プログラムの更新を実施する（ステップＳ９０６）。そして、局２において更新した制御プログラムの起動が完了すると、ＭＣＵ１３３は、更新完了信号（ＵＰＧＲＤ＿ＡＣＴ＝０）をＡＰＳＤ切替回路１５５に出力する（ステップＳ９０７）。これにより、局２の制御器１３２は、更新完了を知らせる信号（ＵＰＧＲＤ＿ＡＣＴ＿Ｔｘ＝０）を、局１に送信する（ステップＳ９０８）。
【００７４】
そして、局１は、局２からの更新完了信号（ＵＰＧＲＤ＿ＡＣＴ＿Ｒｘ＝０）を受信する（ステップＳ９０９）。この後、局１、局２とも、更新完了信号を受け取ることにより、ＡＰＳＤ切替回路１５５は、切替信号（ＡＰＳＤ＿ＡＣＴ＝０）を出力し、ＡＰＳＤ制御回路（２）１３５からＡＰＳＤ制御回路（１）１５２に動作を戻す（ステップＳ９１０ａ，９１０ｂ）。この後、局２は、更新された制御プログラムにて、通常状態で動作する。
【００７５】
（自局のプログラム更新中の光ファイバ障害発生時の動作）
次に、自局（局２）の伝送装置１００の制御プログラムの更新中の光ファイバ障害発生時の動作について説明する。制御プログラムの更新中、自局の制御器１３２（ＡＰＳＤ制御回路（１）１５２）は動作していない。このときに、光ファイバ１０１にファイバ断等の障害が発生すると、自局は、障害を検出してＡＰＳＤ制御を行った後、障害が回復した後、光伝送システムの信号疎通を自動復旧させる。
【００７６】
図１０は、自局の伝送装置の制御器がプログラム更新を実施しているときに、下り方向の光ファイバ障害が発生した状態を示す図である。図１０に示すように、局１、局２ともに、ＡＰＳＤ制御回路（２）１３５が動作している。そして、ＡＰＳＤ制御回路（２）１３５は、主信号の入力光パワーの低下信号（ＬＯＳ）と、監視信号の受信フォーマット異常（Ｒｘ＿Ｅｒｒ）を検出すると、ＬＤ出力の停止制御（ＳＨＵＴ出力）と、監視光の送出停止制御（ＯＳＣ＿ＳＨＵＴ出力）を行う。
【００７７】
（自局のプログラム更新中の光ファイバ障害発生時の動作例（その１））
図１１は、図９に示すプログラム更新中の障害発生時における自局および他局の動作例を示すシーケンス図である。制御器１３２がＭＣＵ１３３から更新プログラムを受信してプログラム更新を開始するまでの手順（ステップＳ１１０１〜Ｓ１１０６）は、図９のステップＳ９０１〜Ｓ９０６と同様である。
【００７８】
そして、制御プログラムの更新中において、下り方向の光ファイバ１０１に障害が生じると、局２のＡＰＳＤ制御回路（２）１３５が主信号の入力光パワーの低下信号（ＬＯＳ）と、監視信号の受信フォーマット異常（Ｒｘ＿Ｅｒｒ）を検出し、光ファイバ障害発生を判定する（ステップＳ１１０７）。そして、局２のＡＰＳＤ制御回路（２）１３５は、光増幅器１１１，１２１の出力光パワーを停止させるＳＨＵＴ信号を出力する。また、局１への監視光の出力を停止させるＯＳＣ＿ＳＨＵＴ信号を出力する（ステップＳ１１０８）。
【００７９】
これにより、局１のＡＰＳＤ制御回路（２）１３５は、主信号の入力光パワーの低下信号（ＬＯＳ）と、監視信号の受信フォーマット異常（Ｒｘ＿Ｅｒｒ）を検出する（ステップＳ１１０９）。そして、局１のＡＰＳＤ制御回路（２）１３５は、障害箇所５０１から光パワーが漏出しないよう光増幅器１２１の出力光パワーを停止させるＳＨＵＴ信号を出力するとともに、局２に送信する監視光の出力を停止させるＯＳＣ＿ＳＨＵＴ信号を出力する（ステップＳ１１１０）。
【００８０】
その後、局２において、更新した制御プログラムの起動が完了すると、ＭＣＵ１３３は、局２の更新完了信号（ＵＰＧＲＤ＿ＡＣＴ＝０）をＡＰＳＤ切替回路１５５に出力する（ステップＳ１１１１）。ＡＰＳＤ切替回路１５５は、更新完了信号を受け取ることにより、切替信号（ＡＰＳＤ＿ＡＣＴ＝０）を出力し、ＡＰＳＤ制御回路（２）１３５からＡＰＳＤ制御回路（１）１５２に切り替え、制御を戻す（ステップＳ１１１２）。
【００８１】
そして、局２のＡＰＳＤ制御回路（２）１３５は、ＡＰＳＤ切替回路１５５から切替信号（ＡＰＳＤ＿ＡＣＴ＝０）を受け取ると、監視光の出力停止解除信号（ＯＳＣ＿ＳＨＵＴ＝０）を局１に出力し、監視光を出力する。このとき、光ファイバ１０１の障害箇所５０１は、まだ復旧されていないので、主信号の入力光パワーの低下信号（ＬＯＳ）と、監視信号の受信フォーマット異常（Ｒｘ＿Ｅｒｒ）が検出されて、局２の光増幅器１１１，１２１の出力光パワーは停止状態のままである（ステップＳ１１１３）。
【００８２】
この後、制御器１３２の制御情報送受部１５１が動作し、監視信号により局２の更新完了を知らせる信号（ＵＰＧＲＤ＿ＡＣＴ＿Ｔｘ＝０）を局１に送信する。また、局２にて主信号の入力光パワーの低下信号（ＬＯＳ）と監視信号の受信フォーマット異常（Ｒｘ＿Ｅｒｒ）が検出されているので、局１にＡＰＳＤ要求信号（ＡＰＳＤ＿Ｔｘ）を送信する（ステップＳ１１１４）。
【００８３】
これにより、上り方向の監視光が疎通するため、局１における監視信号の受信フォーマット異常（Ｒｘ＿Ｅｒｒ）は消失する（受信フォーマットの回復、ステップＳ１１１５）。そして、局１は、局２からの更新完了信号（ＵＰＧＲＤ＿ＡＣＴ＿Ｒｘ＝０）と、ＡＰＳＤ要求信号（ＡＰＳＤ＿Ｒｘ）を受信する（ステップＳ１１１６）。そして、局１は、更新完了信号を受け取ることにより、ＡＰＳＤ切替回路１５５が切替信号（ＡＰＳＤ＿ＡＣＴ＝０）を出力し、ＡＰＳＤ制御回路（２）１３５からＡＰＳＤ制御回路（１）１５２に切り替え、動作を戻す（ステップＳ１１１７）。この後、局１のＡＰＳＤ制御回路（２）１３５は、ＡＰＳＤ切替回路１５５から切替信号（ＡＰＳＤ＿ＡＣＴ＝０）を受け取ると、監視光の出力停止解除信号（ＯＳＣ＿ＳＨＵＴ＝０）が局２に出力され、監視光の出力を開始する（ステップＳ１１１８）。なお、この状態でも、光増幅器１２１の出力光パワーは停止されたままである。
【００８４】
その後、下り方向の光ファイバ１０１の障害箇所５０１が回復すると、下り方向の監視光が疎通するため、局２では監視信号の受信フォーマット異常（Ｒｘ＿Ｅｒｒ）は消失する（受信フォーマットの回復、ステップＳ１１１９）。
【００８５】
この後、局２は、局１へのＡＰＳＤ要求信号（ＡＰＳＤ＿Ｔｘ）を取り消し、局１への主信号出力を開始する（ステップＳ１１２０）。局１では、局２からのＡＰＳＤ要求信号（ＡＰＳＤ＿Ｒｘ）が消失され、局２への主信号出力を開始する（ステップＳ１１２１）。
【００８６】
以上、説明したように、ＡＰＳＤ切替回路１５５によりＡＰＳＤ制御回路を制御器１３２の動作状況に応じて切り替える。一方のＡＰＳＤ制御回路（１）１５２が制御プログラムの更新等により動作できない期間中に光ファイバの障害が発生した場合、他方のＡＰＳＤ制御回路（２）１３５により光増幅器１１１，１２１の出力光パワーを停止する。これににより、光ファイバ１０１の障害箇所５１０からの光パワーの漏出を防ぐことができる。また、障害復旧、および更新後の制御プログラムの起動完了後には、元のＡＰＳＤ制御回路（１）１５２に切り替えることにより、障害修復からの自動復旧が行われるので、作業者の手を煩わせずに安全に自動復旧させることができる。
【００８７】
図１１を用いて説明した処理例は、制御器１３２の制御プログラムの更新中に光ファイバ１０１に障害箇所５０１が発生してＡＰＳＤ制御を行った後、プログラムが更新完了して起動した後に、光ファイバ障害が復旧された場合の処理である。この際、光ファイバの障害発生から修復までの時間が、プログラムの更新開始から起動までの時間より長い時間を要した場合とした。しかしながら、伝送装置１００の作業者が作業ミス等により、光ファイバ１０１のコネクタを開放させた後、すぐに接続を復旧させた場合には、障害箇所５０１となるコネクタ開放から接続復旧までは数秒程度である。このため、光ファイバ１０１の障害発生の期間は、制御プログラムの更新中の短時間のうちに復旧することが考えられる。
【００８８】
（自局のプログラム更新中の光ファイバ障害発生時の動作例（その２））
図１２は、図９に示すプログラム更新中の障害発生時における自局および他局の動作例を示すシーケンス図である。図１１に示した処理と比べて、下り方向の光ファイバ１０１の障害が短時間で回復した場合である点が異なる。図１２に示すステップＳ１２０１〜ステップＳ１２１０までの処理は、ＭＣＵ１３３から更新プログラムを受信して更新を開始した後にファイバ障害が発生して、ＡＰＳＤ制御が行われるまでの処理であり、図１１に示したステップＳ１１０１〜ステップＳ１１１０と同じである。
【００８９】
そして、図示のように、制御プログラムの更新が完了し、制御プログラムが起動する以前に光ファイバ障害が復旧したとする。
【００９０】
このような場合において、制御器１３２は起動していないため、ＡＰＳＤ制御回路（２）１３５が動作している状態である。また、局１からの主信号と監視光の出力が停止しているので、ステップＳ１２０８に示したように、局２の光増幅器の出力光パワーと監視光の出力は停止されたままである。
【００９１】
この後、局２において、更新した制御プログラムの起動が完了すると、局２ではＭＣＵ１３３が更新完了信号（ＵＰＧＲＤ＿ＡＣＴ＝０）をＡＰＳＤ切替回路１５５に出力する（ステップＳ１２１１）。ＡＰＳＤ切替回路１５５は、更新完了信号を受け取ることにより、切替信号（ＡＰＳＤ＿ＡＣＴ＝０）を出力して、ＡＰＳＤ制御回路（２）１３５からＡＰＳＤ制御回路（１）１５２に切り替え、動作を戻す（ステップＳ１２１２）。
【００９２】
この後、局２のＡＰＳＤ制御回路（２）１３５は、ＡＰＳＤ切替回路１５５から切替信号（ＡＰＳＤ＿ＡＣＴ＝０）を受け取ると、監視光の出力停止解除信号（ＯＳＣ＿ＳＨＵＴ＝０）を局１に出力し、監視光を出力する。このとき、局１の光増幅器の出力光パワーと監視光の出力の両方が停止されているので、主信号の入力光パワーの低下信号（ＬＯＳ）と監視信号の受信フォーマット異常（Ｒｘ＿Ｅｒｒ）が検出されて、局２の光増幅器の出力光パワーは停止されたままである（ステップＳ１２１３）。
【００９３】
以降のステップＳ１２１４〜ステップＳ１２２１までは、制御情報送受部１５１の動作により、上りと下り方向の監視光が疎通して、通常動作に復旧するまでの処理であり、図１１に示すステップＳ１１１４〜ステップＳ１１２１までの処理と同じである。
【００９４】
以上説明した例では、局２の伝送装置１００の制御プログラムの更新時にかかる動作を説明した。以上説明したように、自局の制御プログラムの更新中に光ファイバの障害発生および復旧した場合であっても、障害復旧と更新後の制御プログラムの起動完了後に、元のＡＰＳＤ制御回路に切り替えることにより、障害修復からの自動復旧が行える。
【００９５】
（他局のプログラム更新中の光ファイバ障害発生時の動作）
次に、他局（局１）の伝送装置１００の制御プログラムの更新中の光ファイバ障害発生時の動作について説明する。図１３は、他局の伝送装置の制御器がプログラム更新を実施しているときに、下り方向の光ファイバ障害が発生した状態を示す図である。図１３に示すように、局１、局２ともに、ＡＰＳＤ制御回路（２）１３５が動作している。
【００９６】
図１４は、図１３の状態において、下り方向の光ファイバの障害を検出して信号疎通が復旧する処理を説明するシーケンス図である。はじめに、局１の制御器１３２は、ＭＣＵ１３３から制御器１３２の更新用の制御プログラムを受信する（ステップＳ１４０１）。次に、局１の制御器１３２は、ＭＣＵ１３３からの更新開始要求を受けると、ＡＰＳＤ切替回路１５５に更新開始信号（ＵＰＧＲＤ＿ＡＣＴ＝１）を出力する（ステップＳ１４０２）。そして、局１の制御器１３２は、局１の更新開始を知らせる信号（ＵＰＧＲＤ＿ＡＣＴ＿Ｔｘ＝１）を、局２に送信する（ステップＳ１４０３）。
【００９７】
次に、局２は、局１からの更新開始信号（ＵＰＧＲＤ＿ＡＣＴ＿Ｒｘ＝１）を受信する（ステップＳ１４０４）。この後、局１、局２ともに、制御器１３２は、更新開始信号を受け取ることにより、ＡＰＳＤ切替回路１５５から切替信号（ＡＰＳＤ＿ＡＣＴ＝１）が出力されて、ＡＰＳＤ制御回路（１）１５２からＡＰＳＤ制御回路（２）１３５に切り替えられる（ステップＳ１４０５ａ，１４０５ｂ）。
【００９８】
この後、光ファイバ１０１に障害が発生したときには、局２は、ＡＰＳＤ制御回路（２）１３５により、光増幅器１１１，１２１の出力光パワーと監視光出力を停止させることができる。また、局１では、局２のＡＰＳＤ制御回路（２）１３５の動作により、主信号の入力光パワーの低下信号（ＬＯＳ）と、監視信号の受信フォーマット異常（Ｒｘ＿Ｅｒｒ）を検出できる。そして、局１のＡＰＳＤ制御回路（２）１３５は、光増幅器１２１の出力光パワーの出力を停止することができる。
【００９９】
そして、局１は、制御プログラムの更新を実施する（ステップＳ１４０６）。そして、局１の制御プログラムの更新中に下り方向の光ファイバ１０１に障害（障害箇所５０１）が生じたとする。この場合、局２のＡＰＳＤ制御回路（２）１３５が主信号の入力光パワーの低下信号（ＬＯＳ）と、監視信号の受信フォーマット異常（Ｒｘ＿Ｅｒｒ）を検出し、光ファイバ障害発生を判定する（ステップＳ１４０７）。そして、局２のＡＰＳＤ制御回路（２）１３５は、光増幅器１１１，１２１の出力光パワーを停止させるＳＨＵＴ信号を出力するとともに、局１への監視光の出力を停止させるＯＳＣ＿ＳＨＵＴ信号を出力する（ステップＳ１４０８）。
【０１００】
そして、局１のＡＰＳＤ制御回路（２）１３５は、主信号の入力光パワーの低下信号（ＬＯＳ）と、監視信号の受信フォーマット異常（Ｒｘ＿Ｅｒｒ）を検出する（ステップＳ１４０９）。この後、局１のＡＰＳＤ制御回路（２）１３５は、障害箇所５０１から光パワーが漏出しないよう、光増幅器１２１の出力光パワーを停止させるＳＨＵＴ信号を出力するとともに、局２への監視光の出力を停止させるＯＳＣ＿ＳＨＵＴ信号を出力する（ステップＳ１４１０）。
【０１０１】
この後、局１において更新した制御プログラムの起動が完了すると、局１の更新完了信号（ＵＰＧＲＤ＿ＡＣＴ＝０）がＡＰＳＤ切替回路１５５に出力される（ステップＳ１４１１）。そして、局１では、更新完了信号を受け取ったＡＰＳＤ切替回路１５５が切替信号（ＡＰＳＤ＿ＡＣＴ＝０）を出力し、ＡＰＳＤ制御回路（２）１３５からＡＰＳＤ制御回路（１）に切り替えられ、動作を戻す（ステップＳ１４１２）。
【０１０２】
そして、局１では、ＡＰＳＤ制御回路（２）１３５が、ＡＰＳＤ切替回路１５５から切替信号（ＡＰＳＤ＿ＡＣＴ＝０）を受け取ると、監視光の出力停止解除信号（ＯＳＣ＿ＳＨＵＴ＝０）を局２に出力し、監視光が出力される。このとき、局２の光増幅器の出力光パワーと監視光の出力の両方が停止されているので、局１の主信号の入力光パワーの低下信号（ＬＯＳ）と監視信号の受信フォーマット異常（Ｒｘ＿Ｅｒｒ）が検出されて、光増幅器の出力光パワーは停止されたままである（ステップＳ１４１３）。また、局１の制御器１３２の制御情報送受部１５１が動作し、監視信号により局１の更新完了を知らせる信号（ＵＰＧＲＤ＿ＡＣＴ＿Ｔｘ＝０）を局２に送信する。また、局１にて主信号の入力光パワーの低下信号（ＬＯＳ）と監視信号の受信フォーマット異常（Ｒｘ＿Ｅｒｒ）が検出されているので、局２にＡＰＳＤ要求信号（ＡＰＳＤ＿Ｔｘ）を送信する（ステップＳ１４１４）。
【０１０３】
この後、下り方向の光ファイバ１０１が障害から回復すると、局１から局２に監視光が疎通するため、局２の監視信号の受信フォーマット異常（Ｒｘ＿Ｅｒｒ）は消失する（受信フォーマットの回復、ステップＳ１４１５）。そして、局２は、局１からの更新完了信号（ＵＰＧＲＤ＿ＡＣＴ＿Ｒｘ＝０）と、ＡＰＳＤ要求信号（ＡＰＳＤ＿Ｒｘ）を受信する（ステップＳ１４１６）。局２は、更新完了信号を受け取ることにより、ＡＰＳＤ切替回路１５５から切替信号（ＡＰＳＤ＿ＡＣＴ＝０）が出力されて、ＡＰＳＤ制御回路（２）１３５からＡＰＳＤ制御回路（１）に切り替え、動作を戻す（ステップＳ１４１７）。そして、局２のＡＰＳＤ制御回路（２）１３５は、ＡＰＳＤ切替回路１５５から切替信号（ＡＰＳＤ＿ＡＣＴ＝０）を受け取ると、監視光の出力停止解除信号（ＯＳＣ＿ＳＨＵＴ＝０）を局１に出力し、監視光が出力される（ステップＳ１４１８）。
【０１０４】
これにより、局２から局１に送出される監視光が疎通するため、局１の監視信号の受信フォーマット異常（Ｒｘ＿Ｅｒｒ）は消失する（受信フォーマットの回復、ステップＳ１４１９）。局１では、監視信号の受信フォーマット異常が回復すると、局１から局２に送信するＡＰＳＤ要求信号（ＡＰＳＤ＿Ｔｘ）が取り消されるとともに、ＡＰＳＤ制御回路（１）１５２からのＳＨＵＴ出力が取り消されて、局１の光増幅器１２１が動作して下りの主信号が回復する（ステップＳ１４２０）。
【０１０５】
局１から局２へのＡＰＳＤ要求信号（ＡＰＳＤ＿Ｒｘ）が取り消されると、ＡＰＳＤ制御回路（１）１５２からのＳＨＵＴ信号出力が取り消されて、局２の光増幅器１２１が動作して上りの主信号が回復する（ステップＳ１４２１）。そして、局１および局２において光ファイバ１０１を伝送した主信号が入力されると、光増幅器１１１，１２１が動作して光ファイバ１０１の障害発生前の状態に復旧する。
【０１０６】
以上説明したように、局１の伝送装置１００の制御プログラムの更新により局１の制御器１３２が動作していないときに、下り方向の光ファイバ１０１の障害発生にも対応できる。この場合、ＡＰＳＤ切替回路１５５により切り替えたＡＰＳＤ制御回路が光ファイバ１０１の障害を検出して、光増幅器１２１の出力光パワーを停止し、制御プログラムの起動完了後に元のＡＰＳＤ制御回路（１）１５２に切り替えることにより、障害修復からの自動復旧が行える。
【０１０７】
以上の説明では、伝送装置１００が動作中に、局１または局２のいずれかの伝送装置１００の制御器１３２の制御プログラムを更新する場合について説明した。しかし、これに限らずに、局１、局２両方の伝送装置１００の制御器１３２の制御プログラムを更新する場合にも対応できる。局１および局２のＡＰＳＤ制御回路（２）１３５が動作して光ファイバ１０１の障害検出により光増幅器１１１，１２１の出力光パワーと監視光出力を停止し、障害復旧との制御プログラムの起動完了後にＡＰＳＤ制御回路（１）１５２に切り替えることにより、障害修復からの自動復旧が行える。
【０１０８】
図１５は、実施の形態１における制御プログラムの更新中の障害発生時の処理内容を示すフローチャートである。図１に示す伝送装置１００が行う障害発生から光パワーの遮断までの処理内容を示している。
【０１０９】
はじめに、伝送装置１００の制御器１３２は、ＭＣＵ１３３から更新プログラムを受信する（ステップＳ１５０１）。次に、制御器１３２は、装置監視Ｉ／Ｆ１５４からＡＰＳＤ切替回路１５５に更新開始信号（ＵＰＧＲＤ＿ＡＣＴ＝１）が出力される（ステップＳ１５０２）。そして制御器１３２は、監視光により、自局から他局に更新開始信号（ＵＰＧＲＤ＿ＡＣＴ＿Ｔｘ＝１）を送信する（ステップＳ１５０３）。
【０１１０】
この後、他局では、更新開始信号（ＵＰＧＲＤ＿ＡＣＴ＿Ｒｘ＝１）を受信する（ステップＳ１５０４）。これにより、自局および他局ともに、ＡＰＳＤ切替回路１５５が切り替える切替信号（ＡＰＳＤ＿ＡＣＴ＝１）を出力して、制御器１３２のＡＰＳＤ制御回路（１）１５２から制御器１３２外部のＡＰＳＤ制御回路（２）１３５に動作が切り替えられる（ステップＳ１５０５）。そして、ＭＣＵ１３３は、制御プログラムの更新を実施する（ステップＳ１５０６）。
【０１１１】
この後、ＡＰＳＤ制御回路（２）１３５は、自局に受ける光ファイバ１０１が断線したか判断する（ステップＳ１５０７）。自局に受ける光ファイバ１０１の断線であれば（ステップＳ１５０７：Ｙｅｓ）、ステップＳ１５０８に移行し、自局に受ける光ファイバ１０１の断線でなければ（他局に送る光ファイバ１０１の断線に相当、ステップＳ１５０７：Ｎｏ）、ステップＳ１５１３に移行する。
【０１１２】
ステップＳ１５０８では、ＡＰＳＤ制御回路（２）１３５は、自局にて主信号の入力光パワーの低下信号（ＬＯＳ）と、監視信号の受信フォーマット異常（Ｒｘ＿Ｅｒｒ）を検出する（ステップＳ１５０８）。これにより、ＡＰＳＤ制御回路（２）１３５は、光増幅器１１１，１２１の出力光パワーを停止し、他局に送信する監視光の出力を停止する（ステップＳ１５０９）。
【０１１３】
これにより、他局では、主信号の入力光パワーの低下信号（ＬＯＳ）と、監視信号の受信フォーマット異常（Ｒｘ＿Ｅｒｒ）を検出する（ステップＳ１５１０）。そして、他局では、光増幅器１２１の出力光パワーを停止するとともに、他局から自局に送信される監視光の出力が停止する（ステップＳ１５１１）。この後、制御プログラムの更新が完了する（ステップＳ１５１２）。
【０１１４】
一方、ステップＳ１５１３では、他局に送る光ファイバ１０１が断線したか判断する（ステップＳ１５１３）。他局に送る光ファイバ１０１の断線であれば（ステップＳ１５１３：Ｙｅｓ）、ステップＳ１５１４に移行し、他局に送る光ファイバ１０１の断線でなければ（ステップＳ１５１３：Ｎｏ）、ステップＳ１５１２に移行する。
【０１１５】
ステップＳ１５１４では、他局にて主信号の入力光パワーの低下信号（ＬＯＳ）と、監視信号の受信フォーマットの異常（Ｒｘ＿Ｅｒｒ）を検出する（ステップＳ１５１４）。これにより、他局は光増幅器１２１の出力光パワーを停止するとともに、他局から自局へ送信される監視光の出力が停止する（ステップＳ１５１５）。
【０１１６】
この後、自局では、主信号の入力光パワーの低下信号（ＬＯＳ）と、監視信号の受信フォーマット異常（Ｒｘ＿Ｅｒｒ）を検出する（ステップＳ１５１６）。これにより、自局では、光増幅器１１１，１２１の出力光パワーを停止するとともに、他局に送信する監視光の出力を停止する（ステップＳ１５１７）。この後、ステップＳ１５１２による制御プログラムの更新完了となる。
【０１１７】
図１６は、実施の形態１における障害復旧後の処理内容を示すフローチャートである。図１５に示した処理後に実行される処理を示す。はじめに、自局の制御器１３２は、制御プログラムの起動完了をＭＣＵ１３３に通知する（ステップＳ１６０１）。次に、装置監視Ｉ／Ｆ１５４からＡＰＳＤ切替回路１５５に更新完了信号（ＵＰＧＲＤ＿ＡＣＴ＝０）を出力する（ステップＳ１６０２）。
【０１１８】
そして、自局のＡＰＳＤ切替回路１５５が切替信号（ＡＰＳＤ＿ＡＣＴ＝０）を出力し、ＡＰＳＤ制御回路（２）１３５からＡＰＳＤ制御回路（１）１５２に動作を戻す（ステップＳ１６０３）。これにより、自局から他局に監視光の出力が開始される。このとき、光増幅器１２１の出力光パワーは停止されたままである（ステップＳ１６０４）。この後、自局は、他局に更新完了信号（ＵＰＧＲＤ＿ＡＣＴ＿Ｔｘ＝０）とＡＰＳＤ要求信号（ＡＰＳＤ＿Ｔｘ）を送信する（ステップＳ１６０５）。
【０１１９】
この後、自局は他局に送る光ファイバ１０１が接続されたか判断する（ステップＳ１６０６）。未接続であれば（ステップＳ１６０６：Ｎｏ）、ステップＳ１６０５に戻り、接続されていれば（ステップＳ１６０６：Ｙｅｓ）、ステップＳ１６０７に移行する。
【０１２０】
ステップＳ１６０７では、他局での監視信号の受信フォーマットが回復する（ステップＳ１６０７）。これにより、他局は更新完了信号（ＵＰＧＲＤ＿ＡＣＴ＿Ｒｘ＝０）と、ＡＰＳＤ要求信号（ＡＰＳＤ＿Ｒｘ）を受信する（ステップＳ１６０８）。そして、他局は、ＡＰＳＤ切替回路１５５が切替信号（ＡＰＳＤ＿ＡＣＴ＝０）を出力し、ＡＰＳＤ制御回路（２）１３５からＡＰＳＤ制御回路（１）１５２に動作を戻す（ステップＳ１６０９）。これにより、他局から監視光の出力が開始される。このとき、光増幅器１２１の出力光パワーは停止されたままである（ステップＳ１６１０）。
【０１２１】
この後、自局に向かう光ファイバ１０１が接続されたか判断する（ステップＳ１６１１）。未接続であれば（ステップＳ１６１１：Ｎｏ）、ステップＳ１６１０に戻り、接続されていれば（ステップＳ１６１１：Ｙｅｓ）、ステップＳ１６１２に移行する。
【０１２２】
ステップＳ１６１２では、自局での監視信号の受信フォーマットが回復する（ステップＳ１６１２）。これにより、他局へ送信するＡＰＳＤ要求信号（ＡＰＳＤ＿Ｔｘ）を取り消し、他局への主信号出力を開始する（ステップＳ１６１３）。これにより、他局では受信したＡＰＳＤ要求信号（ＡＰＳＤ＿Ｒｘ）が消失し、自局への主信号出力を開始する（ステップＳ１６１４）。
【０１２３】
以上説明した実施の形態１では、制御器１３２の制御プログラムの更新時に、ＡＰＳＤ切替回路１５５により一方のＡＰＳＤ制御回路（１）１５２から他方のＡＰＳＤ制御回路（２）１３５に切り替える。これにより、光ファイバ１０１の障害発生時に速やかに光増幅器１１１，１２１の出力光パワーを停止し、障害復旧および制御プログラムの起動完了後に元のＡＰＳＤ制御回路（１）１５２に動作を戻して自動復旧できるようになる。
【０１２４】
（実施の形態２）
図１７は、実施の形態２にかかる伝送装置を示すブロック図である。実施の形態２では、制御プログラムの更新開始信号（ＵＰＧＲＤ＿ＡＣＴ，ＵＰＧＲＤ＿ＡＣＴ＿Ｒｘ）を使わないプログラム更新を行う。また、制御器１３２の異常により制御プログラムが動作していない状態であっても、実施の形態１同様のＡＰＳＤ制御および自動復旧を実現する。
【０１２５】
図１７に示す伝送装置１００は、実施の形態１（図１）同様に、受信部１０２、送信部１０３、装置制御部１０４を含む。そして、実施の形態２では、装置制御部１０４の制御器１３２には、制御器１３２が動作していないことを知らせる異常通知回路として、たとえばパルス出力回路１７０１を含む。パルス出力回路１７０１は、制御器１３２が正常動作している場合には１ｍｓ周期のパルス（Ｐｕｌｓｅ）を出力する。
【０１２６】
図１８は、ＡＰＳＤ制御回路（１）の内部構成例を示す図である。ＡＰＳＤ制御回路（１）１５２は、図２同様の構成を有し、ＡＰＳＤ切替回路１５５が出力する切替信号（ＡＰＳＤ＿ＡＣＴ）と、パルス出力回路１７０１からの出力の論理和である論理和（ＯＲ）回路１８０１の出力に基づき動作する。そして、パルス出力回路１７０１からのパルス出力が継続出力されていれば、制御器１３２が正常動作していると判定し、ＡＰＳＤ制御回路（１）１５２は、動作継続する。ＡＰＳＤ切替回路１５５が切替信号（ＡＰＳＤ＿ＡＣＴ＝１）を出力したとき、あるいはパルス出力回路１７０１からの出力が途絶えたときに、ＡＰＳＤ制御回路（１）１５２は動作停止する（ＡＰＳＤ制御回路（２）１３５に動作が切り替えられる）。
【０１２７】
このＡＰＳＤ制御回路（１）１５２は、実施の形態１（図２）と同様に、主信号の入力光パワーの低下信号（ＬＯＳ）と、フレーマ１３１で検出した受信信号のフォーマット異常（Ｒｘ＿Ｅｒｒ）とに基づき、光ファイバ１０１の障害発生を検出する。光ファイバ１０１の障害発生を検出するか、監視光を介してＡＰＳＤ要求信号（ＡＰＳＤ＿Ｒｘ）を受け取ると、光増幅器１１１，１２１の出力光パワーの停止要求を行うＳＨＵＴ信号を出力する。また、他局の伝送装置１００からの出力光パワーの漏出を防ぐため、光ファイバ１０１の障害発生を検出すると、他局にＡＰＳＤ要求信号（ＡＰＳＤ＿Ｔｘ）を送信する。
【０１２８】
図１９は、ＡＰＳＤ制御回路（２）の内部構成例を示す図である。ＡＰＳＤ制御回路（２）１３５は、実施の形態１（図４）にて説明した論理積（ＡＮＤ）回路４０２への入力が異なる。ＡＰＳＤ切替回路１５５からの切替信号（ＡＰＳＤ＿ＡＣＴ）の入力に代えて、パルス出力回路１７０１からのパルス出力が入力されている。
【０１２９】
これにより、ＡＰＳＤ制御回路（２）１３５は、パルス出力回路１７０１の出力が継続しない場合、ＡＰＳＤ制御回路（１）１５２の動作を停止させ、ＡＰＳＤ制御回路（２）１３５が動作する。
【０１３０】
図１９のＡＰＳＤ制御回路（２）１３５は、パルス出力回路１７０１のパルス出力が継続しないとき、実施の形態１（図４）と同様に、主信号の入力光パワーの低下信号（ＬＯＳ）と、フレーマ１３１で検出した受信信号のフォーマット異常（Ｒｘ＿Ｅｒｒ）を検出する。このとき、光増幅器１１１，１２１の出力光パワーを停止するＳＨＵＴ信号とともに、監視光の出力を停止するＯＳＣ＿ＳＨＵＴ信号を出力する。
【０１３１】
制御プログラムの更新や制御器１３２の動作異常により制御器１３２が正常に動作していないときには、監視信号により送信する制御情報を生成する制御情報送受部１５１が動作していないため、他局に制御情報の意味を成さない送信データが送られる。これにより、他局は、受け取った受信データから監視信号を送信する局の制御器１３２が正常に動作していないことを検出することができる。
【０１３２】
監視信号を送信する他局の制御器１３２が動作していないと制御情報送受部１５１が判定すると、パルス出力回路１７０１に、他局の制御器１３２が制御不能であることを通知する信号（ＣｏｎｔＥｒｒ）を出力する。パルス出力回路１７０１は、他局の制御不能信号（ＣｏｎｔＥｒｒ）を受け取ると、パルス出力回路１７０１を停止させる。これにより、ＡＰＳＤ制御回路（１）１５２が停止し、ＡＰＳＤ制御回路（２）１３５に切り替えられる。
【０１３３】
制御器１３２が動作していないときには、監視信号を送受する光ファイバ１０１の両側にある局（自局および他局）の伝送装置１００は、ＡＰＳＤ制御回路（２）１３５が動作する。光ファイバ１０１に障害が発生すると、自局のＡＰＳＤ制御回路（２）１３５が主信号の入力光パワーの低下信号と、監視信号の受信フォーマット異常を検出して、光増幅器１１１，１２１の出力光パワーと監視光の出力を停止する。他局は、主信号の入力光パワーの低下信号と、監視信号の受信フォーマット異常を検出する。他局にある伝送装置１００についても、ＡＰＳＤ制御回路（２）１３５が動作しており、主信号の入力光パワーの低下信号と、監視信号の受信フォーマット異常を検出できるので、他局の光増幅器１２１の出力光パワーを停止することができる。
【０１３４】
たとえば、制御器１３２が制御プログラムの更新を完了して起動すると、パルス出力回路１７０１からの出力が再開されるため、ＡＰＳＤ制御回路（２）１３５からＡＰＳＤ制御回路（１）１５２に切り替わる。また、制御器１３２の制御異常を装置監視しているＭＣＵ１３３が制御プログラムの更新を検出すると、ＭＣＵ１３３が制御器１３２に対してリセットを行い、制御プログラムの復旧を行う。これにより、制御器１３２が起動すると、パルス出力回路１７０１からの出力が再開されて、ＡＰＳＤ制御回路（２）１３５からＡＰＳＤ制御回路（１）１５２に切り替わる。
【０１３５】
ＡＰＳＤ制御回路（２）１３５は、制御プログラムが動作して周期的なパルス出力を検出すると、監視光の出力停止解除信号（ＯＳＣ＿ＳＨＵＴ＝０）を出力し、監視光を出力する。このとき、光増幅器１２１の出力光パワーの停止制御は、ＡＰＳＤ制御回路（１）１５２に委譲されるので、主信号の入力光パワーの低下信号（ＬＯＳ）と、監視信号の受信フォーマット異常（Ｒｘ＿Ｅｒｒ）が継続している場合には、光増幅器１１１，１２１の出力光パワーの停止信号（ＳＨＵＴ＝１）を出力し、復旧している場合には光増幅器１１１，１２１の出力光パワーの停止解除信号（ＳＨＵＴ＝０）を出力する。
【０１３６】
また、制御器１３２の制御プログラムの復旧が完了すると、制御情報送受部１５１の動作も回復するため、他局に制御情報を含む監視信号が送信される。他局は、受け取った制御情報から監視信号を送信する局の制御器１３２が復旧したことを判定し、パルス出力回路１７０１に出力する対向の局の制御不能信号（ＣｏｎｔＥｒｒ）を取り消す。パルス出力回路１７０１は、対向する局の制御不能信号（ＣｏｎｔＥｒｒ）が取り消されると、パルス出力回路の出力を再開し、ＡＰＳＤ制御回路（１）１５２を動作させる。
【０１３７】
ＡＰＳＤ制御回路（１）１５２には、光増幅器１２１からの主信号の入力光パワー低下信号（ＬＯＳ）や、フレーマ１３１からの監視信号の異常（Ｒｘ＿Ｅｒｒ）、光増幅器の出力停止信号（ＳＨＵＴ）の論理信号が入力される。また、監視信号と制御器１３２の間で制御情報を授受するＲＡＭ処理を行う制御情報送受部１５１からＡＰＳＤ要求信号（ＡＰＳＤ＿Ｒｘ，ＡＰＳＤ＿Ｔｘ）が入出力される。このため、ＡＰＳＤ制御回路（１）１５２の動作には高機能な制御器１３２を必要とする。一方で、ＡＰＳＤ制御回路（２）１３５は、ＬＯＳ信号やＲｘ＿Ｅｒｒ信号、光増幅器のＳＨＵＴ信号、監視光送信器の出力停止信号（ＯＳＣ＿ＳＨＵＴ）の論理信号と、周期的なパルス信号のみ入出力されるため、安価かつ簡易な論理回路を用いて構成できる。
【０１３８】
（自局の制御不能中の光ファイバ障害発生時の動作例）
次に、実施の形態２において、自局（局２）の伝送装置１００の制御プログラムが動作していないとき（制御不能中）に、光ファイバ障害が発生した場合の動作を説明する。図２０は、自局の制御不能中の障害発生時における自局および他局の動作例を示すシーケンス図である。自局（局２）の伝送装置１００の制御器１３２のプログラム更新や、制御器１３２の制御異常が生じているときに、下り方向の光ファイバ１０１の障害を検出して信号疎通が復旧する処理を説明する。
【０１３９】
はじめに、自局（局２）の伝送装置１００の制御器１３２が、プログラム更新や制御異常により動作していない状態となると（ステップＳ２００１）、局２の制御器１３２の制御情報送受部１５１が動作できなくなる。これにより、局１は、局２からの受信データが異常であること検出し、局２（制御器１３２）の制御不能状態を検出する（ステップＳ２００２）。そして、局２では、制御器１３２の制御不能によりパルス出力回路１７０１が出力異常となり、ＡＰＳＤ制御回路（１）１５２からＡＰＳＤ制御回路（２）１３５に切り替えられる（ステップＳ２００３ａ）。局１では、局２の制御器１３２の制御不能を判定してパルス出力回路１７０１を停止し、ＡＰＳＤ制御回路（１）１５２からＡＰＳＤ制御回路（２）１３５に切り替える（ステップＳ２００３ｂ）。
【０１４０】
そして、局２の制御器１３２の制御不能状態のときに、下り方向の光ファイバ１０１に障害が生じたとする。このとき、局２のＡＰＳＤ制御回路（２）１３５が主信号の入力光パワーの低下信号（ＬＯＳ）と、監視信号の受信フォーマット異常（Ｒｘ＿Ｅｒｒ）を検出し、光ファイバ障害発生を判定する（ステップＳ２００４）。そして、局２のＡＰＳＤ制御回路（２）１３５は、光増幅器１１１，１２１の出力光パワーを停止させるＳＨＵＴ信号を出力するとともに、局１への監視光の出力を停止させるＯＳＣ＿ＳＨＵＴ信号を出力する（ステップＳ２００５）。
【０１４１】
これにより、局１のＡＰＳＤ制御回路（２）１３５は、主信号の入力光パワーの低下信号（ＬＯＳ）と、監視信号の受信フォーマット異常（Ｒｘ＿Ｅｒｒ）を検出する（ステップＳ２００６）。そして、局１のＡＰＳＤ制御回路（２）１３５は、光ファイバ１０１の障害箇所５０１から光パワーが漏出しないよう、光増幅器１２１の出力光パワーを停止させるＳＨＵＴ信号を出力する。また、局２への監視光の出力を停止させるＯＳＣ＿ＳＨＵＴ信号を出力する（ステップＳ２００７）。
【０１４２】
そして、制御器１３２が制御不能の局２では、プログラムの更新完了、あるいはＭＣＵ１３３からリセットによる復旧の後、制御プログラムの起動が完了すると、制御器１３２のパルス出力回路１７０１と、制御情報送受部１５１が動作開始する（ステップＳ２００８）。この後、局２の制御器１３２のパルス出力回路１７０１の正常動作を検出すると、ＡＰＳＤ制御回路（２）１３５からＡＰＳＤ制御回路（１）１５２に切り替えられる（ステップＳ２００９）。
【０１４３】
そして、局２のＡＰＳＤ制御回路（２）１３５は、パルス出力回路１７０１の正常動作を検出すると、監視光の出力停止解除信号（ＯＳＣ＿ＳＨＵＴ＝０）を局１に出力し、監視光を出力する。このとき、光ファイバ障害はまだ復旧されていないので、局２の主信号の入力光パワーの低下信号（ＬＯＳ）と監視信号の受信フォーマット異常（Ｒｘ＿Ｅｒｒ）が検出されて、光増幅器１２１の出力光パワーは停止されたままである（ステップＳ２０１０）。局２では、主信号の入力光パワーの低下信号（ＬＯＳ）と、監視信号の受信フォーマット異常（Ｒｘ＿Ｅｒｒ）が検出されているので、局１にＡＰＳＤ要求信号（ＡＰＳＤ＿Ｔｘ）を送信する（ステップＳ２０１１）。
【０１４４】
そして、上り方向の監視光が疎通するため、局１では、受信する監視信号の受信フォーマット異常（Ｒｘ＿Ｅｒｒ）は消失する（受信フォーマットの回復、ステップＳ２０１２）。そして、局１は、局２の制御復旧を検出し、ＡＰＳＤ要求信号（ＡＰＳＤ＿Ｒｘ）を受け取る（ステップＳ２０１３）。局１は、局２の制御復旧を検出することにより、パルス出力回路１７０１の動作を再開し、ＡＰＳＤ制御回路（２）１３５からＡＰＳＤ制御回路（１）１５２に切り替える（ステップＳ２０１４）。また、局１のＡＰＳＤ制御回路（２）１３５は、パルス出力回路１７０１の正常動作を検出して、監視光の出力停止解除信号（ＯＳＣ＿ＳＨＵＴ＝０）を局２に出力し、監視光を出力する（ステップＳ２０１５）。
【０１４５】
そして、下り方向の光ファイバ１０１が障害から回復すると、下り方向の監視光が疎通するため、局２の監視信号の受信フォーマット異常（Ｒｘ＿Ｅｒｒ）は消失する（受信フォーマットの回復、ステップＳ２０１６）。そして、局２は、局１へのＡＰＳＤ要求信号（ＡＰＳＤ＿Ｔｘ）の送信を取り消し、局１への主信号出力を開始する（ステップＳ２０１７）。局１では、局２からのＡＰＳＤ要求信号（ＡＰＳＤ＿Ｒｘ）が消失され、局２への主信号出力を開始する（ステップＳ２０１８）。
【０１４６】
（他局の制御不能中の光ファイバ障害発生時の動作例）
次に、実施の形態２において、他局（局１）の伝送装置１００の制御プログラムが動作していないとき（制御不能中）に、光ファイバ障害が発生した場合の動作を説明する。図２１は、他局の制御不能中の障害発生時における自局および他局の動作例を示すシーケンス図である。他局（局１）の伝送装置１００の制御器１３２のプログラム更新や、制御器１３２の制御異常が生じているときに、下り方向の光ファイバ１０１の障害を検出して信号疎通が復旧する処理を説明する。
【０１４７】
はじめに、他局（局１）の伝送装置１００の制御器１３２が、プログラム更新や制御異常により動作していない状態となると（ステップＳ２１０１）、局１の制御器１３２の制御情報送受部１５１が動作できなくなる。これにより、局２が局１からの受信データが異常であること検出すると、局１の制御器１３２の制御不能状態と判定する（ステップＳ２１０２）。そして、局１は、制御器１３２の制御不能によりパルス出力回路１７０１が出力異常となり、ＡＰＳＤ制御回路（１）１５２からＡＰＳＤ制御回路（２）１３５に切り替えられる（ステップＳ２１０３ｂ）。局２は、局１の制御器１３２の制御不能を判定してパルス出力回路１７０１を停止し、ＡＰＳＤ制御回路（１）１５２からＡＰＳＤ制御回路（２）１３５に切り替える（ステップＳ２１０３ａ）。
【０１４８】
そして、局１の制御器１３２の制御不能状態のときに下り方向の光ファイバ１０１に障害が生じたとする。この場合、局２のＡＰＳＤ制御回路（２）１３５が主信号の入力光パワーの低下信号（ＬＯＳ）と、監視信号の受信フォーマット異常（Ｒｘ＿Ｅｒｒ）を検出し、光ファイバ１０１の障害発生を検出する（ステップＳ２１０４）。そして、局１のＡＰＳＤ制御回路（２）１３５は、光増幅器１１１，１２１の出力光パワーを停止させるＳＨＵＴ信号を出力するとともに、局１への監視光の出力を停止させるＯＳＣ＿ＳＨＵＴ信号を出力する（ステップＳ２１０５）。
【０１４９】
そして、局１のＡＰＳＤ制御回路（２）１３５は、主信号の入力光パワーの低下信号（ＬＯＳ）と、監視信号の受信フォーマット異常（Ｒｘ＿Ｅｒｒ）を検出する（ステップＳ２１０６）。この後、局１のＡＰＳＤ制御回路（２）１３５は、光ファイバ１０１の障害箇所５０１から光パワーが漏出しないよう、光増幅器１２１の出力を停止させるＳＨＵＴ信号を出力するとともに、局２への監視光の出力を停止させるＯＳＣ＿ＳＨＵＴ信号を出力する（ステップＳ２１０７）。
【０１５０】
制御器１３２の制御不能に陥った局１では、プログラムの更新完了、あるいはＭＣＵ１３３からリセットによる復旧の後、制御プログラムの起動が完了すると、局１の制御器１３２のパルス出力回路１７０１と、制御情報送受部１５１の動作が開始する（ステップＳ２１０８）。そして、局１の制御器１３２のパルス出力回路１７０１の正常動作を検出すると、ＡＰＳＤ制御回路（２）１３５からＡＰＳＤ制御回路（１）１５２に切り替えられる（ステップＳ２１０９）。
【０１５１】
また、局１のＡＰＳＤ制御回路（２）１３５は、パルス出力回路１７０１の正常動作を検出すると、監視光の出力停止解除信号（ＯＳＣ＿ＳＨＵＴ＝０）を局２に出力し、監視光を出力する。このとき、局２の光増幅器１２１の出力光パワーと監視光の出力の両方が停止されているので、局１の主信号の入力光パワーの低下信号（ＬＯＳ）と監視信号の受信フォーマット異常（Ｒｘ＿Ｅｒｒ）が検出されて、光増幅器１２１の出力光パワーは停止されたままである（ステップＳ２１１０）。また、局１では、主信号の入力光パワーの低下信号（ＬＯＳ）と、監視信号の受信フォーマット異常（Ｒｘ＿Ｅｒｒ）が検出されているので、局２にＡＰＳＤ要求信号（ＡＰＳＤ＿Ｔｘ）を送信する（ステップＳ２１１１）。
【０１５２】
この後、下り方向の光ファイバ１０１が障害から回復すると、局１から局２に監視光が疎通するため、局２の監視信号の受信フォーマット異常（Ｒｘ＿Ｅｒｒ）は消失する（受信フォーマットの回復、ステップＳ２１１２）。これにより、局２は、局１の制御復旧を検出し、ＡＰＳＤ要求信号（ＡＰＳＤ＿Ｒｘ）を受信する（ステップＳ２１１３）。そして、局２は、局１の制御復旧を検出することにより、パルス出力回路１７０１の動作を再開し、ＡＰＳＤ制御回路（２）１３５からＡＰＳＤ制御回路（１）１５２に切り替える（ステップＳ２１１４）。
【０１５３】
局２のＡＰＳＤ制御回路（２）１３５は、パルス出力回路１７０１の正常動作を検出すると、監視光の出力停止解除信号（ＯＳＣ＿ＳＨＵＴ＝０）を局１に出力し、監視光を出力する（ステップＳ２１１５）。局１では、上り方向の監視光が疎通するため、局１の監視信号の受信フォーマット異常（Ｒｘ＿Ｅｒｒ）は消失する（受信フォーマットの回復、ステップＳ２１１６）。そして、局１は、局２へのＡＰＳＤ要求信号（ＡＰＳＤ＿Ｔｘ）の送信を取り消し、局２への主信号出力を開始する（ステップＳ２１１７）。局２では、局１からのＡＰＳＤ要求信号（ＡＰＳＤ＿Ｒｘ）が消失され、局１への主信号出力を開始する（ステップＳ２１１８）。
【０１５４】
図２２は、実施の形態２における制御不能中の障害発生時の処理内容を示すフローチャートである。図１７に示す自局（局２）の伝送装置１００が行う障害発生から光パワーの遮断までの処理内容を示している。
【０１５５】
はじめに、自局（局２）の伝送装置１００の制御器１３２に制御不能状態が発生すると（ステップＳ２２０１）、他局（局１）では、自局（局２）の制御不能状態を検出する（ステップＳ２２０２）。これにより、自局および他局ともに、ＡＰＳＤ切替回路１５５が切替信号（ＡＰＳＤ＿ＡＣＴ＝１）を出力して、制御器１３２のＡＰＳＤ制御回路（１）１５２から制御器１３２外部のＡＰＳＤ制御回路（２）１３５に動作が切り替えられる（ステップＳ２２０３）。
【０１５６】
この後、ＡＰＳＤ制御回路（２）１３５は、自局に受ける光ファイバ１０１が断線したか判断する（ステップＳ２２０４）。自局に受ける光ファイバ１０１の断線であれば（ステップＳ２２０４：Ｙｅｓ）、ステップＳ２２０５に移行し、自局に受ける光ファイバ１０１の断線でなければ（ステップＳ２２０４：Ｎｏ）、ステップＳ２２１０に移行する。
【０１５７】
ステップＳ２２０５では、自局のＡＰＳＤ制御回路（２）１３５は、主信号の入力光パワーの低下信号（ＬＯＳ）と、監視信号の受信フォーマット異常（Ｒｘ＿Ｅｒｒ）を検出する（ステップＳ２２０５）。これにより、ＡＰＳＤ制御回路（２）１３５は、光増幅器１１１，１２１の出力光パワーを停止し、他局に送信する監視光の出力を停止する（ステップＳ２２０６）。
【０１５８】
これにより、他局では、主信号の入力光パワーの低下信号（ＬＯＳ）と、監視信号の受信フォーマット異常（Ｒｘ＿Ｅｒｒ）を検出する（ステップＳ２２０７）。そして、他局では、光増幅器１２１の出力光パワーを停止するとともに、他局から自局に送信される監視光の出力が停止する（ステップＳ２２０８）。この後、制御プログラムの更新完了、またはＭＣＵ１３３からの制御器１３２のリセットを行う（ステップＳ２２０９）。
【０１５９】
一方、ステップＳ２２１０では、他局に送る光ファイバ１０１が断線したか判断する（ステップＳ２２１０）。他局に送る光ファイバ１０１の断線であれば（ステップＳ２２１０：Ｙｅｓ）、ステップＳ２２１１に移行し、他局に送る光ファイバ１０１の断線でなければ（ステップＳ２２１０：Ｎｏ）、ステップＳ２２０９に移行する。
【０１６０】
ステップＳ２２１１では、他局にて主信号の入力光パワーの低下信号（ＬＯＳ）と、監視信号の受信フォーマットの異常（Ｒｘ＿Ｅｒｒ）を検出する（ステップＳ２２１１）。これにより、他局は光増幅器１２１の出力光パワーを停止するとともに、他局から自局へ送信される監視光の出力が停止する（ステップＳ２２１２）。
【０１６１】
この後、自局では、主信号の入力光パワーの低下信号（ＬＯＳ）と、監視信号の受信フォーマット異常（Ｒｘ＿Ｅｒｒ）を検出する（ステップＳ２２１３）。これにより、自局では、光増幅器１１１，１２１の出力光パワーを停止するとともに、他局に送信する監視光の出力を停止する（ステップＳ２２１４）。この後、ステップＳ２２０９による制御プログラムの更新完了、またはＭＣＵ１３３からの制御器１３２のリセットを行う。
【０１６２】
図２３は、実施の形態２における障害復旧後の処理内容を示すフローチャートである。図２２に示した処理後に実行される処理を示す。はじめに、自局の制御器１３２は、制御プログラムが起動完了し、パルス出力回路１７０１と制御情報送受部１５１が動作開始する（ステップＳ２３０１）。そして、自局のＡＰＳＤ切替回路１５５がパルス出力回路１７０１の正常出力を検出し、切替信号（ＡＰＳＤ＿ＡＣＴ＝０）を出力し、ＡＰＳＤ制御回路（２）１３５からＡＰＳＤ制御回路（１）１５２に動作を戻す（ステップＳ２３０２）。これにより、自局から他局に監視光の出力が開始される。このとき、光増幅器１２１の出力光パワーは停止されたままである（ステップＳ２３０３）。この後、自局は、他局にＡＰＳＤ要求信号（ＡＰＳＤ＿Ｔｘ）を送信する（ステップＳ２３０４）。
【０１６３】
この後、自局は他局に送る光ファイバ１０１が接続されたか判断する（ステップＳ２３０５）。未接続であれば（ステップＳ２３０５：Ｎｏ）、ステップＳ２３０４に戻り、接続されていれば（ステップＳ２３０５：Ｙｅｓ）、ステップＳ２３０６に移行する。
【０１６４】
ステップＳ２３０６では、他局での監視信号の受信フォーマットが回復する（ステップＳ２３０６）。これにより、他局は自局の制御復旧を検出し、ＡＰＳＤ要求信号（ＡＰＳＤ＿Ｒｘ）を受信する（ステップＳ２３０７）。そして、他局は、動作再開したパルス出力回路１７０１からの出力を検出して、ＡＰＳＤ切替回路１５５が切替信号（ＡＰＳＤ＿ＡＣＴ＝０）を出力し、ＡＰＳＤ制御回路（２）１３５からＡＰＳＤ制御回路（１）１５２に動作を戻す（ステップＳ２３０８）。これにより、他局から監視光の出力が開始される。このとき、光増幅器１２１の出力光パワーは停止されたままである（ステップＳ２３０９）。
【０１６５】
この後、自局に向かう光ファイバ１０１が接続されたか判断する（ステップＳ２３１０）。未接続であれば（ステップＳ２３１０：Ｎｏ）、ステップＳ２３０９に戻り、接続されていれば（ステップＳ２３１０：Ｙｅｓ）、ステップＳ２３１１に移行する。
【０１６６】
ステップＳ２３１１では、自局での監視信号の受信フォーマットが回復する（ステップＳ２３１１）。これにより、他局へ送信するＡＰＳＤ要求信号（ＡＰＳＤ＿Ｔｘ）を取り消し、他局への主信号出力を開始する（ステップＳ２３１２）。これにより、他局で受信されたＡＰＳＤ要求信号（ＡＰＳＤ＿Ｒｘ）が消失し、自局への主信号出力を開始する（ステップＳ２３１３）。
【０１６７】
以上説明した実施の形態２では、制御プログラムの更新や制御器１３２の制御異常により制御プログラムが動作していない状態でも、制御器１３２の制御不能状態を知らせる信号によりＡＰＳＤ制御回路を切り替える。これにより、一方のＡＰＳＤ制御回路（１）１５２が制御器１３２の制御不能により動作できないときに光ファイバ１０１の障害が発生した場合、他方のＡＰＳＤ制御回路（２）１３５に切り替える。これにより、光増幅器１１１，１２１の出力光パワーを停止させることができ、光ファイバ１０１への高い光パワーの出力を停止して、障害箇所５０１からの光パワーの漏出を防ぐことができる。また、障害復旧と、制御プログラムの起動完了後に元のＡＰＳＤ制御回路（１）１５２に切り替えることにより、障害修復からの自動復旧が行える。このため、作業者の手を煩わせずに安全に自動復旧させることができる。
【０１６８】
以上説明した実施形態１，２において、光増幅器１１１，１２１内の増幅制御器１７６は、主信号の入力光パワーと、光ファイバ１０１の断線時等の断検出パワー等の定められた光パワーとの比較を行い、主信号の入力光パワーの低下信号（ＬＯＳ）を出力する。しかし、増幅制御器１７６の制御プログラム更新時には、このような光パワーの比較動作ができない場合がある。このため、光パワーの比較は、入力光モニタ回路１７１の光パワーのモニタ電圧と、光ファイバ１０１の断検出パワー等の定められた光パワーに相当する参照電圧を比較する。そして、モニタ電圧が参照電圧より小さい場合に、論理信号を出力するコンパレータ等を増幅制御器１７６の外部に備えればよい。
【０１６９】
（実施の形態３）
図２４は、実施の形態３にかかる伝送装置を示すブロック図である。実施の形態３は、光増幅器としてラマン増幅部を追加したものである。実施の形態１（図１）の構成に加えて、光伝送路（光ファイバ）１０１上に、ラマン増幅部２４０１を配置している。ラマン増幅部２４０１は、伝送装置１００と一体としてもよく、別体として設けてもよい。
【０１７０】
ラマン増幅部２４０１は、ラマン増幅制御器２４０２と、ラマン増幅ＬＤドライバ２４０３と、レーザダイオード（ＬＤ）２４０４と、合波器２４０５とを含む。図２４の例では、後方励起の構成としたが、前方励起としたり、これらを組み合わせてもよい。ラマン増幅制御器２４０２には、制御器１３２から出力光パワーを停止するＳＨＵＴ信号が入力される。これにより、実施の形態１同様に、光増幅器１１１，１２１とともにラマン増幅部２４０１も同期して出力光パワーの制御を行うことができる。
【０１７１】
（実施の形態４）
図２５は、実施の形態４にかかる伝送装置を示すブロック図である。実施の形態４についても、ラマン増幅部を追加したものであり、実施の形態２（図１７）の構成に加えて、光伝送路（光ファイバ）１０１上に、ラマン増幅部２４０１を配置する。この実施の形態４においても、光増幅器１１１，１２１とともにラマン増幅部２４０１も同期して出力光パワーの制御を行うことができる。
【０１７２】
なお、上記の実施の形態３，４において光増幅器１１１，１２１を設けずに、ラマン増幅部２４０１だけを設ける構成としてもよい。
【０１７３】
以上説明した各実施の形態のように、障害に対応した自動光パワーシャットダウン機能を備えた伝送装置とすることができる。この伝送装置は、通常動作時に動作する第１のＡＰＳＤ制御回路と、伝送装置の動作中に制御プログラムの更新または制御異常により制御器１３２が動作できない場合に動作する第２のＡＰＳＤ制御回路を備える。第１のＡＰＳＤ制御回路は、光ファイバの障害を検出すると、監視信号に光増幅器の出力光パワーの停止要求信号を出力する。そして、光ファイバの障害を検出するか監視信号により光増幅器の出力光パワーの停止要求信号を受け取ると、光増幅器の出力光パワーを停止する。第２のＡＰＳＤ制御回路は、光ファイバの障害を検出すると、光増幅器の出力光パワーと監視光の出力を停止する。
【０１７４】
制御器の制御プログラムの更新中は、監視信号によるＡＰＳＤ要求信号の送受不能となり、第１のＡＰＳＤ制御回路によるＡＰＳＤ制御ができなくなる。これに対応して、制御器の制御プログラムの更新が開始すると、ＡＰＳＤ制御回路を第１のＡＰＳＤ制御回路から第２のＡＰＳＤ制御回路に切り替えている。そして、監視信号により他局の伝送装置に制御プログラムの更新開始信号を送ることにより、他局のＡＰＳＤ制御回路を第１のＡＰＳＤ制御回路から第２のＡＰＳＤ制御回路に切り替えている。
【０１７５】
また、制御プログラムの更新や制御異常により制御器が制御不能状態となると、監視信号によるＡＰＳＤ要求信号の送受不能となり、第１のＡＰＳＤ制御回路によるＡＰＳＤ制御ができなくなる。このため、制御器の制御不能を検出すると、ＡＰＳＤ制御回路を第１のＡＰＳＤ制御回路から第２のＡＰＳＤ制御回路に切り替えている。また、他局の制御器の制御不能を監視信号により受け取った制御情報の異常を検出することにより、ＡＰＳＤ制御を第１のＡＰＳＤ制御回路から第２のＡＰＳＤ制御回路に切り替えている。
【０１７６】
そして、伝送装置の動作中に、制御プログラムの更新または制御異常により制御器が動作できないとき、光ファイバの障害発生を検出すると、対向する互いの局の伝送装置は、第２のＡＰＳＤ制御回路で動作している。これにより、互いの局の伝送装置からの出力光パワーを停止するとともに、監視光の出力を停止するので、速やかに障害箇所からの光パワーの漏出を停止できる。また、光ファイバの障害復旧と制御プログラムの起動後に第１のＡＰＳＤ制御回路に切り替えることにより、障害修復からの自動復旧が行える。これにより、作業者の手を煩わせずに安全に自動復旧させることができ、装置の安全性と保守性の効率を高めることができる。
【０１７７】
なお、本実施の形態で説明した制御プログラムは、予め用意されたプログラムをコンピュータで実行することにより実現することができる。また、このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、このプログラムは、インターネット等のネットワークを介して配布してもよい。
【０１７８】
上述した各実施の形態に関し、さらに以下の付記を開示する。
【０１７９】
（付記１）光伝送路上の主信号光を光増幅する光増幅部と、
前記光伝送路の障害発生の検出時に前記光増幅部の出力と監視光の出力を停止させる第１の制御部と、
前記第１の制御部と切り替え動作し、前記光伝送路の障害発生の検出時に前記光増幅部の出力と監視光の出力を停止させる第２の制御部とを有し、
前記第１の制御部は、
前記光伝送路上の隣接する他の伝送装置との間において、制御情報を含む監視光を送受する監視光送受信部と、
前記監視光の送受の状態に基づいて、前記光伝送路の障害発生を検出し、前記光増幅部の出力光と前記監視光の出力を停止させる制御回路と、
前記制御回路による制御不能の情報に基づき、前記第１の制御部から前記第２の制御部に制御を切り替える切替回路と、
を有することを特徴とする伝送装置。
【０１８０】
（付記２）前記第１の制御部は、前記光伝送路の障害発生時に前記制御情報により、前記他の伝送装置に対し、当該他の伝送装置からの前記主信号光の出力停止を要求することを特徴とする付記１に記載の伝送装置。
【０１８１】
（付記３）前記第１の制御部および前記第２の制御部は、前記主信号光が定められた光パワーより小さく、かつ、前記監視光に含まれる前記制御情報のデータフォーマットが異常である場合に、前記光伝送路の障害発生と判断することを特徴とする付記１または２に記載の伝送装置。
【０１８２】
（付記４）前記第１の制御部の制御プログラムを格納するメモリと、
前記第１の制御部の制御プログラムを更新するプロセッサとを備え、
前記切替回路は、前記制御プログラムの更新開始時に前記第１の制御部から前記第２の制御部に動作を切り替え、
前記他の伝送装置に自局の制御プログラムの更新開始を前記制御情報に含ませ送信することを特徴とする付記１〜３のいずれか一つに記載の伝送装置。
【０１８３】
（付記５）前記切替回路は、
自局の制御プログラムの更新完了時に前記第２の制御部から前記第１の制御部に動作を切り替え、
前記他の伝送装置に自局の制御プログラムの更新完了を前記制御情報に含ませ送信することを特徴とする付記４に記載の伝送装置。
【０１８４】
（付記６）前記切替回路は、
前記他の伝送装置から受信する前記制御情報に含まれる、前記他の伝送装置における制御プログラムの更新開始に基づき、前記第１の制御部から前記第２の制御部に動作を切り替えることを特徴とする付記４に記載の伝送装置。
【０１８５】
（付記７）前記切替回路は、
前記他の伝送装置から受信する前記制御情報に含まれる、制御プログラムの更新完了に基づき、前記第２の制御部から前記第１の制御部に動作を切り替えることを特徴とする付記６に記載の伝送装置。
【０１８６】
（付記８）前記切替回路は、
前記第１の制御部の動作状態を検出し、
前記第１の制御部の異常時には、前記第１の制御部から前記第２の制御部に動作を切り替え、前記他の伝送装置に自局の動作異常を前記制御情報に含ませて送信することを特徴とする付記１〜７のいずれか一つに記載の伝送装置。
【０１８７】
（付記９）前記切替回路は、正常動作時に周期的なパルスを出力し、
前記パルスの出力状態が正常であるか否かに基づいて、前記第１の制御部と前記第２の制御部とを切り替えることを特徴とする付記８に記載の伝送装置。
【０１８８】
（付記１０）前記切替回路は、
前記他の伝送装置から受信する前記制御情報に含まれる、前記他の伝送装置における第１の制御部の動作異常に基づき、前記第１の制御部から前記第２の制御部に動作を切り替えることを特徴とする付記８または９に記載の伝送装置。
【０１８９】
（付記１１）前記切替回路は、
前記他の伝送装置から受信する前記制御情報に含まれる、前記他の伝送装置における第１の制御部の動作状態の正常復帰に基づき、前記第２の制御部から前記第１の制御部に動作を切り替えることを特徴とする付記８〜１０のいずれか一つに記載の伝送装置。
【０１９０】
（付記１２）前記光増幅部は、ＥＤＦＡ（Ｅｒｂｉｕｍ  Ｄｏｐｅｄ  Ｆｉｂｅｒ  Ａｍｐｌｉｆｉｅｒ）であることを特徴とする付記１〜１１のいずれか一つに記載の伝送装置。
【０１９１】
（付記１３）前記光増幅部は、ラマン増幅器からなることを特徴とする付記１〜１２のいずれか一つに記載の伝送装置。
【０１９２】
（付記１４）光伝送路上に隣接して自局と他局の伝送装置を配置した伝送システムにおいて、
前記自局および他局の伝送装置はそれぞれ、
前記光伝送路上の主信号光を光増幅する光増幅部と、
前記光伝送路の障害発生の検出時に前記光増幅部の出力と監視光の出力を停止させる第１の制御部と、
前記第１の制御部と切り替え動作し、前記光伝送路の障害発生の検出時に前記光増幅部の出力と監視光の出力を停止させる第２の制御部とを有し、
前記第１の制御部は、
前記光伝送路上の隣接する他局の伝送装置との間において、制御情報を含む監視光を送受する監視光送受信部と、
前記監視光の送受の状態に基づいて、前記光伝送路の障害発生を検出し、前記光増幅部の出力光と前記監視光の出力を停止させる制御回路と、
前記制御回路による制御不能の情報に基づき、前記第１の制御部から前記第２の制御部に制御を切り替える切替回路と、
を有することを特徴とする伝送システム。
【０１９３】
（付記１５）前記第１の制御部は、前記光伝送路の障害発生時に前記制御情報により、前記他局の伝送装置に対し、当該他局の伝送装置からの前記主信号光の出力停止を要求することを特徴とする付記１４に記載の伝送システム。
【符号の説明】
【０１９４】
１００  伝送装置
１０１  光ファイバ（光伝送路）
１０２  受信部
１０３  送信部
１０４  装置制御部
１１１，１２１  光増幅器
１１２  監視光受信器
１２２  監視光送信器
１３１  フレーマ
１３２  制御器
１３３  ＭＣＵ
１３４  メモリ
１５１  制御情報送受部
１５５  ＡＰＳＤ切替回路
１７０１  パルス出力回路
２４０１  ラマン増幅部
【図１】
2014093746.tif 000003
【図２】
2014093746.tif 000004
【図３】
2014093746.tif 000005
【図４】
2014093746.tif 000006
【図５】
2014093746.tif 000007
【図６】
2014093746.tif 000008
【図７】
2014093746.tif 000009
【図８】
2014093746.tif 000010
【図９】
2014093746.tif 000011
【図１０】
2014093746.tif 000012
【図１１】
2014093746.tif 000013
【図１２】
2014093746.tif 000014
【図１３】
2014093746.tif 000015
【図１４】
2014093746.tif 000016
【図１５】
2014093746.tif 000017
【図１６】
2014093746.tif 000018
【図１７】
2014093746.tif 000019
【図１８】
2014093746.tif 000020
【図１９】
2014093746.tif 000021
【図２０】
2014093746.tif 000022
【図２１】
2014093746.tif 000023
【図２２】
2014093746.tif 000024
【図２３】
2014093746.tif 000025
【図２４】
2014093746.tif 000026
【図２５】
2014093746.tif 000027